(57)【要約】  広域ネットワーク（ＷＡＮ）でピア・ツー・ピア（Ｐ２Ｐ）通信をサポートする技術が開示される。ある態様において、Ｐ２Ｐ通信に従事するＰ２Ｐデバイスと、ＷＡＮ通信に従事するＷＡＮデバイスとの間の干渉調整が、ネットワーク制御式アーキテクチャに基づいて実行されうる。ネットワーク制御式アーキテクチャについて、Ｐ２Ｐデバイスは、他のＰ２Ｐデバイスおよび／またはＷＡＮデバイスを検出し、検出されたデバイスについての測定値（例えば、パスロス、干渉等の）をＷＡＮ（例えば、サービング基地局）に送りうる。ＷＡＮは、測定値に基づき、Ｐ２Ｐデバイスに対してリソース分割および／または関連付けを実行しうる。関連付けは、所与のＰ２Ｐデバイスに対するＰ２Ｐ通信またはＷＡＮ通信の選択を含みうる。リソース分割は、Ｐ２Ｐ通信でのＰ２Ｐデバイスのグループに対するリソースの割り付けを含みうる。ＷＡＮは、関連付けおよび/またはリソース分割の結果をＰ２Ｐデバイスに送り、それは、この関連付けおよび／またはリソース分割の結果にしたがって通信しうる。【選択図】図５
2013539265.tif 000002
【特許請求の範囲】
【請求項１】
広域ネットワーク（ＷＡＮ）において無線通信をサポートする方法であって、
ピア・ツー・ピア（Ｐ２Ｐ）通信およびＷＡＮ通信をサポートする第１のデバイスから少なくとも１つの測定値を受信することと、ここで、前記少なくとも１つの測定値は、前記第１のデバイスによって検出された少なくとも１つの第２のデバイスについてのものである、
Ｐ２Ｐ通信またはＷＡＮ通信を選択するための関連付け、Ｐ２Ｐ通信のためにリソースを割り付けるためのリソース分割、あるいは、関連付けとリソース分割の両方を、前記少なくとも１つの測定値に基づいて前記第１のデバイスに対して実行することと、
前記関連付け、前記リソース分割、または、両方の結果を前記第１のデバイスに送ることと
を備える方法。
【請求項２】
前記少なくとも１つの測定値を受信することは、少なくとも１つのパスロス測定値を前記第１のデバイスから受信することを備え、各パスロス測定値は、前記第１のデバイスと前記少なくとも１つの第２のデバイスのうちの１つとの間のパスロスを示す、請求項１に記載の方法。
【請求項３】
前記第１のデバイスから前記少なくとも１つの第２のデバイスの少なくとも１つのネットワークアドレスを受信することと、
前記少なくとも１つの第２のデバイスの前記少なくとも１つのネットワークアドレスに基づいて、前記第１のデバイスと、前記少なくとも１つの第２のデバイスとを含むＰ２Ｐグループを識別することと
をさらに備える、請求項１に記載の方法。
【請求項４】
前記関連付け、リソース分割、または、両方を実行することは、関連付けを実行することと、Ｐ２Ｐ通信またはＷＡＮ通信を前記少なくとも１つの測定値に基づいて前記第１のデバイスに対して選択することとを備え、前記関連付け、前記リソース分割、または両方の結果を送ることは、前記第１のデバイスに対してＰ２Ｐ通信が選択されたか、ＷＡＮ通信が選択されたかについての決定を送ることを備える、請求項１に記載の方法。
【請求項５】
前記関連付けを実行することは、
Ｐ２Ｐ通信での前記第１のデバイスの性能を推定することと、
ＷＡＮ通信での前記第１のデバイスの性能を推定することと、
前記Ｐ２Ｐ通信での推定された性能、および、前記ＷＡＮ通信での推定された性能に基づいて、前記第１のデバイスに対してＰ２Ｐ通信またはＷＡＮ通信を選択することと
を備える、請求項４に記載の方法。
【請求項６】
前記関連付け、リソース分割、または両方を実行することは、リソース分割を実行することと、Ｐ２Ｐ通信で前記第１のデバイスにリソースを割り付けることとを備え、前記関連付け、前記リソース分割、または両方の結果を送ることは、前記割り付けられたリソースを示す情報を前記第１のデバイスに送ることを備える、請求項１に記載の方法。
【請求項７】
前記第１のデバイスを含むＰ２Ｐグループに参加することを望む第３のデバイスから１または複数の測定値を受信することと、
前記Ｐ２Ｐグループに参加する前記第３のデバイスを考慮するために、前記Ｐ２Ｐグループのためのリソースの割り付けを更新することと
をさらに備える、請求項１に記載の方法。
【請求項８】
Ｐ２Ｐ通信での前記第１のデバイスの最大送信電力レベルを決定することと、
前記最大送信電力レベルを示す情報を前記第１のデバイスに送ることと
をさらに備える、請求項１に記載の方法。
【請求項９】
前記第１のデバイスに対して強い干渉を潜在的に引き起こす少なくとも１つのＰ２Ｐデバイスを示す情報を受信することと、
前記第１のデバイスに対する前記少なくとも１つのＰ２Ｐデバイスからの干渉を減らすために、前記第１のデバイス、前記少なくとも１つのＰ２Ｐデバイス、または両方にリソースを割り付けることと
をさらに備える、請求項１に記載の方法。
【請求項１０】
第１の基地局のカバレッジ内に位置付けられた前記第１のデバイスから、１または複数のＰ２Ｐデバイスについて置の測定値を受信することと、ここで、前記１または複数のＰ２Ｐデバイスは、第２の基地局のカバレッジ内に位づけられる、
前記第１の基地局から第２の基地局に前記１または複数のＰ２Ｐデバイスについての前記測定値を転送することと
をさらに備える、請求項１に記載の方法。
【請求項１１】
前記ＷＡＮ内の少なくとも１つの隣接基地局を調整して、第１の基地局が第１のＰ２Ｐグループのためにリソース分割を実行することと、
前記少なくとも１つの隣接基地局と調整することなく、第１の基地局が第２のＰ２Ｐグループのためにリソース分割を実行することと
をさらに備える、請求項１に記載の方法。
【請求項１２】
前記第１のＰ２Ｐグループのためにリソース分割を実行することは、前記第１の基地局および前記少なくとも１つの隣接基地局を含む基地局のグループ内の指定の基地局が第１のリソースを前記第１のＰ２Ｐグループ割り当てることを備え、前記第２のＰ２Ｐグループのために前記リソース分割を実行することは、前記第１の基地局が第２のリソースを前記第２のＰ２Ｐグループに割り当てることを備え、前記第２のリソースは、前記第１のリソースを除く利用可能なリソースの中から選択される、請求項１１に記載の方法。
【請求項１３】
前記第１のＰ２Ｐグループに対してリソース分割を実行することは、前記第１の基地局が第１のリソースを前記第１のＰ２Ｐグループに割り当てることを備え、前記第１のリソースは、複数の基地局のカバレッジ内のセルエッジのＰ２Ｐグループのために予約されたリソースから選択されており、前記第２のＰ２Ｐグループのためにリソース分割を実行することは、前記第１の基地局が第２のリソースを前記第２のＰ２Ｐグループに割り当てることを備え、前記第２のリソースは、前記予約されたリソースを除く利用可能なリソースから選択されている、請求項１１に記載の方法。
【請求項１４】
前記第１の基地局および前記少なくとも１つの隣接基地局は、リソースを前記第１のＰ２Ｐグループに割り当てるように交渉する、請求項１１に記載の方法。
【請求項１５】
少なくとも１つのＷＡＮデバイスについての少なくとも１つの干渉測定値を前記第１のデバイスから受信することを備え、各ＷＡＮデバイスは、前記ＷＡＮと通信し、各干渉測定値は、前記第１のデバイスによって検出された、前記少なくとも１つのＷＡＮデバイスのうちの１つからの強い干渉を示す、請求項１に記載の方法。
【請求項１６】
前記第１のデバイスへの干渉を減らすために、前記少なくとも１つのＷＡＮデバイスをスケジューリングすること、前記少なくとも１つのＷＡＮデバイスの送信電力レベルを減らすこと、または、両方をさらに備える、請求項１５に記載の方法。
【請求項１７】
各干渉測定値は、さらに、前記強い干渉が前記第１のデバイスによって検出された特定のリソースを示す、請求項１５に記載の方法。
【請求項１８】
異なるリソース上でサウンディング基準信号を送信するために、前記少なくとも１つのＷＡＮデバイスを構成することと、
前記強い干渉が前記第１のデバイスによって検出されたリソース、および、前記少なくとも１つＷＡＮデバイスの各々が前記サウンディング基準信号を送信するように構成されたリソースに基づいて前記第１のデバイスに強い干渉を引き起こす前記少なくとも１つのＷＡＮデバイスを識別することと
をさらに備える、請求項１５に記載の方法。
【請求項１９】
前記第１のデバイスは、前記少なくとも１つの測定値を送る前にＷＡＮ通信に従事しない、請求項１に記載の方法。
【請求項２０】
前記少なくとも１つの測定値を報告することは、前記第１のデバイスによって開始される、請求項１に記載の方法。
【請求項２１】
無線通信のための装置であって、
ピア・ツー・ピア（Ｐ２Ｐ）通信および広域ネットワーク（ＷＡＮ）通信をサポートする第１のデバイスから少なくとも１つの測定値を受信する手段と、ここで、前記少なくとも１つの測定値は、前記第１のデバイスによって検出された少なくとも１つの第２のデバイスについてである、
Ｐ２Ｐ通信またはＷＡＮ通信を選択するための関連付け、Ｐ２Ｐ通信のためにリソースを割り付けるためのリソース分割、あるいは、関連付けとリソース分割の両方を、前記少なくとも１つの測定値に基づいて前記第１のデバイスに対して実行する手段と、
前記関連付け、前記リソース分割、または、両方の結果を前記第１のデバイスに送る手段と
を備える装置。
【請求項２２】
前記少なくとも１つの第２のデバイスの少なくとも１つのネットワークアドレスを前記第１のデバイスから受信する手段と、
前記少なくとも１つの第２のデバイスの前記少なくとも１つのネットワークアドレスに基づいて、前記第１のデバイスと、前記少なくとも１つの第２のデバイスとを含むＰ２Ｐグループを識別する手段と
をさらに備える、請求項２１に記載の装置。
【請求項２３】
前記関連付け、リソース分割、または、両方を実行する手段は、関連付けを実行し、Ｐ２Ｐ通信またはＷＡＮ通信を前記少なくとも１つの測定値に基づいて前記第１のデバイスに対して選択する手段を備え、前記関連付け、前記リソース分割、または両方の結果を送る手段は、前記第１のデバイスに対してＰ２Ｐ通信が選択されたか、ＷＡＮ通信が選択されたかについての決定を送る手段を備える、請求項２１に記載の装置。
【請求項２４】
前記関連付け、リソース分割、または両方を実行する手段は、リソース分割を実行し、Ｐ２Ｐ通信のために前記第１のデバイスにリソースを割り付ける手段を備え、前記関連付け、前記リソース分割、または両方の結果を送る手段は、前記割り付けられたリソースを示す情報を前記第１のデバイスに送る手段を備える、請求項２１に記載の装置。
【請求項２５】
第１の基地局のカバレッジ内に位置する前記第１のデバイスから、１または複数のＰ２Ｐデバイスについての測定値を受信する手段と、ここで、前記１または複数のＰ２Ｐデバイスは、第２の基地局のカバレッジ内に位置付けられる、
前記第１の基地局から第２の基地局に前記１または複数のＰ２Ｐデバイスについての前記測定値を転送する手段と
をさらに備える、請求項２１に記載の装置。
【請求項２６】
無線通信のための装置であって、
ピア・ツー・ピア（Ｐ２Ｐ）通信および広域ネットワーク（ＷＡＮ）通信をサポートする第１のデバイスから少なくとも１つの測定値を受信し、ここで、前記少なくとも１つの測定値は、前記第１のデバイスによって検出された少なくとも１つの第２のデバイスについてのものである、
Ｐ２Ｐ通信またはＷＡＮ通信を選択するための関連付け、Ｐ２Ｐ通信のためにリソースを割り付けるためのリソース分割、あるいは、関連付けとリソース分割の両方を、前記少なくとも１つの測定値に基づいて前記第１のデバイスに対して実行し、
前記関連付け、前記リソース分割、または、両方の結果を前記第１のデバイスに送る
ように構成された少なくとも１つのプロセッサを備える装置。
【請求項２７】
前記少なくとも１つのプロセッサは、
前記第１のデバイスから前記少なくとも１つの第２のデバイスの少なくとも１つのネットワークアドレスを受信し、
前記少なくとも１つの第２のデバイスの前記少なくとも１つのネットワークアドレスに基づいて、前記第１のデバイスと、前記少なくとも１つの第２のデバイスとを含むＰ２Ｐグループを識別する
ように構成される、請求項２６に記載の装置。
【請求項２８】
前記少なくとも１つのプロセッサは、
関連付けを実行し、前記少なくとも１つの測定値に基づいてＰ２Ｐ通信またはＷＡＮ通信を前記第１のデバイスに対して選択し、
前記第１のデバイスに対してＰ２Ｐ通信が選択されたかＷＡＮ通信が選択されたかについての決定を送るように構成される、請求項２６に記載の装置。
【請求項２９】
前記少なくとも１つのプロセッサは、
リソース分割を実行して、Ｐ２Ｐ通信のために前記第１のデバイスにリソースを割り付け、
前記割り付けられたリソースを示す情報を前記第１のデバイスに送るように構成された、請求項２６に記載の装置。
【請求項３０】
前記少なくとも１つのプロセッサは、
第１の基地局のカバレッジ内に位置付けられた前記第１のデバイスから、１または複数のＰ２Ｐデバイスについての測定値を受信し、ここで、前記１または複数のＰ２Ｐデバイスは、第２の基地局のカバレッジ内に位置付けられる、
前記第１の基地局から第２の基地局に前記１または複数のＰ２Ｐデバイスについての前記測定値を転送する
ように構成される、請求項２６に記載の装置。
【請求項３１】
非一時的なコンピュータ読取可能な媒体を備えるコンピュータプログラムプロダクトであって、非一時的なコンピュータ読取可能な媒体は、
ピア・ツー・ピア（Ｐ２Ｐ）通信および広域ネットワーク（ＷＡＮ）通信をサポートする第１のデバイスから少なくとも１つの測定値を受信することを、少なくとも１つのプロセッサに実行させるコードと、ここで、前記少なくとも１つの測定値は、前記第１のデバイスによって検出された少なくとも１つの第２のデバイスについてのものである、
Ｐ２Ｐ通信またはＷＡＮ通信を選択するための関連付け、Ｐ２Ｐ通信のためにリソースを割り付けるためのリソース分割、あるいは、関連付けとリソース分割の両方を前記少なくとも１つの測定値に基づいて前記第１のデバイスに対して実行することを、前記少なくとも１つのプロセッサに実行させるコードと、
前記関連付け、前記リソース分割、または両方の結果を前記第１のデバイスに送ることを、前記少なくとも１つのプロセッサに実行させるためのコードとを備える、コンピュータプログラムプロダクト。
【請求項３２】
広域ネットワーク（ＷＡＮ）において無線通信の方法であって、
ピア・ツー・ピア（Ｐ２Ｐ）通信およびＷＡＮ通信をサポートする第１のデバイスがピア発見を実行することと、
ピア発見を介して、前記第１のデバイスが少なくとも１つの第２のデバイスを検出することと、
前記第１のデバイスが、前記少なくとも１つの第２のデバイスについての少なくとも１つの測定値を取得することと、
前記第１のデバイスから前記ＷＡＮに前記少なくとも１つの測定値を送ることと、
関連付け、リソース分割、または関連付けとリソース分割の両方の結果を前記ＷＡＮから受信することと、ここにおいて、Ｐ２Ｐ通信またはＷＡＮ通信を選択するための関連付け、Ｐ２Ｐ通信のためにリソースを割り付けるためのリソース分割、または、関連付けとリソース分割の両方は、前記少なくとも１つの測定値に基づいて前記第１のデバイスに対して前記ＷＡＮによって実行される、
前記関連付け、リソース分割、または両方の結果に基づいて前記第１のデバイスが通信することとを備える方法。
【請求項３３】
前記ピア発見を実行することは、少なくとも１つの他のデバイスが前記第１のデバイスを検出できるように、前記第１のデバイスが近接検出信号を送信することを備える、請求項３２に記載の方法。
【請求項３４】
前記ピア発見を実行することは、前記少なくとも１つの第２のデバイスから少なくとも１つの近接検出信号を検出することを備え、前記少なくとも１つの測定値を取得することは、前記少なくとも１つの近接検出信号に基づいて、前記第１のデバイスが前記少なくとも１つの第２のデバイスについての前記少なくとも１つの測定を行うことを備える、請求項３２に記載の方法。
【請求項３５】
前記少なくとも１つの測定値を取得することは、前記第１のデバイスが前記少なくとも１つの第２のデバイスについての少なくとも１つのパスロス測定を行うことを備え、各パスロス測定値は、前記第１のデバイスと前記少なくとも１つの第２のデバイスのうちの１つとの間のパスロスを示す、請求項３２に記載の方法。
【請求項３６】
前記第１のデバイスが前記少なくとも１つの第２のデバイスの少なくとも１つのネットワークアドレスを決定することと、
前記少なくとも１つの第２のデバイスの前記少なくとも１つのネットワークアドレスを前記ＷＡＮに送ることと
をさらに備える、請求項３２に記載の方法。
【請求項３７】
前記関連付け、リソース分割、または両方の結果を受信することは、前記第１のデバイスに対して前記ＷＡＮがＰ２Ｐ通信を選択したかＷＡＮ通信を選択したかについての決定を受信することを備え、
前記第１のデバイスが通信することは、Ｐ２Ｐ通信が選択された場合、前記第１のデバイスが前記少なくとも１つの第２のデバイスと直接通信することを備える、
請求項３２に記載の方法。
【請求項３８】
前記関連付け、リソース分割、または両方の結果を受信することは、Ｐ２Ｐ通信のために前記第１のデバイスに割り付けられたリソースを示す情報を受信することを備え、
前記第１のデバイスが通信することは、前記第１のデバイスが、前記割り付けられたリソース上で、前記少なくとも１つの第２のデバイスと直接通信することを備える、請求項３２に記載の方法。
【請求項３９】
Ｐ２Ｐ通信で前記第１のデバイスによって使用されるべき最大送信電力レベルを受信することと、
Ｐ２Ｐ通信で前記第１のデバイスが前記最大送信電力レベル以下で送信することと
をさらに備える、請求項３２に記載の方法。
【請求項４０】
前記第１のデバイスに対して強い干渉を潜在的に引き起こす少なくとも１つのＰ２Ｐデバイスを検出することと、
前記少なくとも１つのＰ２Ｐデバイスを示す情報を前記ＷＡＮに送ることと
をさらに備える、請求項３２に記載の方法。
【請求項４１】
前記第１のデバイスが少なくとも１つのＷＡＮデバイスについての少なくとも１つの干渉測定を行うことと、ここで、各ＷＡＮデバイスは、前記ＷＡＮと通信し、各干渉測定値は、異なるリソース上で行われており、前記少なくとも１つのＷＡＮデバイスのうちの１つのうちの前記第１のデバイスによって検出された干渉を示す、
前記少なくとも１つのＷＡＮデバイスについての前記少なくとも１つの干渉測定値を前記ＷＡＮに送ることと
をさらに備える、請求項３２に記載の方法。
【請求項４２】
前記第１のデバイスによって送られる干渉測定値の各々は、さらに、前記強い干渉が前記第１のデバイスによって検出された特定のリソースを示す、請求項４１に記載の方法。
【請求項４３】
前記第１のデバイスは、前記第１のデバイスおよび前記少なくとも１つの第２のデバイスを含むＰ２Ｐグループ内のＰ２Ｐクライアントであり、前記方法はさらに、
前記少なくとも１つの第２のデバイスとＰ２Ｐ通信リンクを確立するために、前記第１のデバイスがランダムアクセス手順を実行することを備える、請求項３２に記載の方法。
【請求項４４】
前記第１のデバイスは、前記第１のデバイスおよび前記少なくとも１つの第２のデバイスを含むＰ２Ｐグループ内のＰ２Ｐサーバであり、前記方法はさらに、
前記第１のデバイスが、Ｐ２Ｐ通信でのデータ送信のために前記少なくとも１つの第２のデバイスをスケジューリングすることとを備える、請求項３２に記載の方法。
【請求項４５】
無線通信のための装置であって、
ピア・ツー・ピア（Ｐ２Ｐ）通信および広域ネットワーク（ＷＡＮ）通信をサポートする第１のデバイスがピア発見を実行する手段と、
ピア発見を介して、前記第１のデバイスが少なくとも１つの第２のデバイスを検出する手段と、
前記第１のデバイスが、前記少なくとも１つの第２のデバイスについての少なくとも１つの測定値を取得する手段と、
前記第１のデバイスからの前記少なくとも１つの測定値をＷＡＮに送る手段と、
関連付け、リソース分割、または関連付けとリソース分割の両方の結果を前記ＷＡＮから受信する手段と、ここにおいて、Ｐ２Ｐ通信またはＷＡＮ通信を選択するための関連付け、Ｐ２Ｐ通信のためにリソースを割り付けるためのリソース分割、または、関連付けとリソース分割の両方は、前記少なくとも１つの測定値に基づいて前記第１のデバイスに対して前記ＷＡＮによって実行される、
前記関連付け、リソース分割、または両方の結果に基づいて前記第１のデバイスが通信する手段とを備える装置。
【請求項４６】
前記第１のデバイスが前記少なくとも１つの第２のデバイスの少なくとも１つのネットワークアドレスを決定する手段と、
前記少なくとも１つの第２のデバイスの前記少なくとも１つのネットワークアドレスを前記ＷＡＮに送る手段と
をさらに備える、請求項４５に記載の装置。
【請求項４７】
前記関連付け、リソース分割、または両方の結果を受信する手段は、前記第１のデバイスに対して前記ＷＡＮがＰ２Ｐ通信を選択したかＷＡＮ通信を選択したかについての決定を受信する手段を備え、
前記第１のデバイスが通信する手段は、Ｐ２Ｐ通信が選択された場合に、前記第１のデバイスが前記少なくとも１つの第２のデバイスと直接通信する手段を備える、
請求項４５に記載の装置。
【請求項４８】
前記関連付け、リソース分割、または両方の結果を受信する手段は、Ｐ２Ｐ通信のために前記第１のデバイスに割り付けられたリソースを示す情報を受信する手段を備え、
前記第１のデバイスが通信する手段は、前記第１のデバイスが、前記割り付けられたリソース上で、前記少なくとも１つの第２のデバイスと直接通信する手段を備える、
請求項４５に記載の装置。
【請求項４９】
無線通信のための装置であって、
ピア・ツー・ピア（Ｐ２Ｐ）通信および広域ネットワーク（ＷＡＮ）通信をサポートする第１のデバイスがピア発見を実行し、
前記第１のデバイスが、ピア発見を介して、少なくとも１つの第２のデバイスを検出し、
前記第１のデバイスが、前記少なくとも１つの第２のデバイスについての少なくとも１つの測定値を取得し、
前記第１のデバイスからの前記少なくとも１つの測定値を前記ＷＡＮに送り、
関連付け、リソース分割、または関連付けとリソース分割の両方の結果を前記ＷＡＮから受信し、ここにおいて、Ｐ２Ｐ通信またはＷＡＮ通信を選択するための関連付け、Ｐ２Ｐ通信のためにリソースを割り付けるためのリソース分割、または、関連付けとリソース分割の両方は、前記少なくとも１つの測定値に基づいて前記第１のデバイスに対して前記ＷＡＮによって実行される、
前記関連付け、リソース分割、または両方の結果に基づいて前記第１のデバイスが通信する
ように構成された少なくとも１つのプロセッサを備える、装置。
【請求項５０】
前記少なくとも１つのプロセッサは、
前記第１のデバイスが前記少なくとも１つの第２のデバイスの少なくとも１つのネットワークアドレスを決定し、
前記少なくとも１つの第２のデバイスの前記少なくとも１つのネットワークアドレスを前記ＷＡＮに送る
ように構成される、請求項４９に記載の装置。
【請求項５１】
前記少なくとも１つのプロセッサは、
前記第１のデバイスに対して前記ＷＡＮがＰ２Ｐ通信を選択したかＷＡＮ通信を選択したかについての決定を受信し、
前記第１のデバイスが、Ｐ２Ｐ通信が選択された場合に、前記少なくとも１つの第２のデバイスと直接通信する
ように構成される、請求項４９に記載の装置。
【請求項５２】
前記少なくとも１つのプロセッサは、
Ｐ２Ｐ通信のために前記第１のデバイスに割り付けられたリソースを示す情報を受信し、
前記第１のデバイスが前記割り付けられたリソース上で前記少なくとも１つの第２のデバイスと直接通信する
ように構成される、請求項４９に記載の装置。
【請求項５３】
非一時的なコンピュータ読取可能な媒体を備えるコンピュータプログラムプロダクトであって、前記非一時的なコンピュータ読取可能な媒体は、
ピア・ツー・ピア（Ｐ２Ｐ）通信および広域ネットワーク（ＷＡＮ）通信をサポートする第１のデバイスがピア発見を実行することを、少なくとも１つのプロセッサに実行させるコードと、
ピア発見を介して、前記第１のデバイスが少なくとも１つの第２のデバイスを検出することを、前記少なくとも１つのプロセッサに実行させるコードと、
前記第１のデバイスが、前記少なくとも１つの第２のデバイスについての少なくとも１つの測定値を取得することを、前記少なくとも１つのプロセッサに実行させるコードと、
前記第１のデバイスからの前記少なくとも１つの測定値をＷＡＮに送ることを、前記少なくとも１つのプロセッサに実行させるコードと、
関連付け、リソース分割、または関連付けとリソース分割の両方の結果を前記ＷＡＮから受信することを、前記少なくとも１つのプロセッサに実行させるコードと、ここにおいて、Ｐ２Ｐ通信またはＷＡＮ通信を選択するための関連付け、Ｐ２Ｐ通信のためにリソースを割り付けるためのリソース分割、または、関連付けとリソース分割の両方は、前記少なくとも１つの測定値に基づいて前記第１のデバイスに対して前記ＷＡＮによって実行される、
前記関連付け、リソース分割、または両方の結果に基づいて前記第１のデバイスが通信することを、前記少なくとも１つのプロセッサに実行させるコードとを備える、コンピュータプログラムプロダクト。
【発明の詳細な説明】
【技術分野】
【０００１】
本願は、両方ともが、全体として本明細書に明確に組み込まれ、「INTERFERENCE COORDINATION FOR PEER-TO-PEER (P2P) COMMUNICATION AND WIDE AREA NETWORK (WAN) COMMUNICATION」と題する２０１０年７月３０日に出願された米国仮出願６１／３９６,６２２号、および、２０１１年７月２１日に出願された米国特許出願１３／１８８,１４６号の優先権を主張する。
【０００２】
本開示は、一般的に通信に関し、さらに詳細には、ピア・ツー・ピア（Ｐ２Ｐ）通信および広域ネットワーク（ＷＡＮ）通信をサポートする技術に関する。
【背景技術】
【０００３】
無線通信ネットワークは、音声、ビデオ、パケットデータ、メッセージング、ブロードキャストのような様々な通信コンテンツを提供するために広く展開されている。これら無線ネットワークは、利用可能なネットワークリソースを共有することによって、複数のユーザをサポートできる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワークを含む。無線通信ネットワークは、広域ネットワーク（ＷＡＮ）とも呼ばれうる。
【０００４】
無線通信ネットワークは、多数のデバイスに対して通信をサポートできる多数の基地局を含みうる。デバイスは、ダウンリンクおよびアップリンクを介して基地局と通信しうる。ダウンリンク（すなわち、順方向リンク）は、基地局からデバイスへの通信リンクを指し、アップリンク（すなわち、逆方向リンク）は、デバイスから基地局への通信リンクを指す。デバイスは、さらに、他のデバイスとピア・ツー・ピアで通信できる。デバイス間のＰ２Ｐ通信を効率的にサポートすることが望まれうる。
【発明の概要】
【０００５】
ＷＡＮにおいてＰ２Ｐ通信をサポートするための技術が本明細書に記述される。１つの態様において、Ｐ２Ｐ通信に従事するＰ２ＰデバイスとＷＡＮ通信に従事するＷＡＮデバイスとの間の干渉調整がネットワーク制御式アーキテクチャに基づいて実行されうる。ネットワーク制御式アーキテクチャについて、Ｐ２Ｐデバイスは、他のＰ２Ｐデバイスおよび／またはＷＡＮデバイスを検出し、検出されたデバイスについての測定（例えば、パスロス、干渉などの）を行い、測定値をＷＡＮ（例えば、サービング基地局）に送りうる。ＷＡＮは、測定値に基づき、Ｐ２Ｐデバイスに対してリソース分割（resource partitioning）および／または関連付け（association）を実行しうる。関連付けは、所与のＰ２Ｐデバイスに対するＰ２Ｐ通信またはＷＡＮ通信の選択を含みうる。リソース分割は、Ｐ２Ｐ通信でのＰ２Ｐデバイスのグループへのリソースの割り付けまたは割り当てを含みうる。
【０００６】
１つの設計において、ネットワークエンティティ（例えば、基地局）は、Ｐ２Ｐ通信およびＷＡＮ通信をサポートしうる第１のデバイスから少なくとも１つの測定値を受信しうる。少なくとも１つの測定値は、第１のデバイスによって検出された少なくとも１つの第２のデバイスについてのものである。ネットワークエンティティは、Ｐ２Ｐ通信またはＷＡＮ通信を選択するために関連付け、および／または、Ｐ２Ｐ通信のためにリソースを割り付けるためにリソース分割を、少なくとも１つの測定値に基づいて、第１のデバイスに対して実行しうる。ネットワークエンティティは、関連付けおよび／またはリソース分割の結果を第１のデバイスに送りうる。
【０００７】
１つの設計において、第１のデバイスは、ピア発見（peer discovery）を実行し、ピア発見を介して、少なくとも１つの第２のデバイスを検出しうる。第１のデバイスは、少なくとも１つの第２のデバイスについての少なくとも１つの測定値を取得し、少なくとも１つの測定値をＷＡＮ（例えば、基地局）に送りうる。第１のデバイスは、さらに、少なくとも１つの第２のデバイスの少なくとも１つのネットワークアドレスを決定し、少なくとも１つの第２のデバイスの少なくとも１つのネットワークアドレスをＷＡＮに送りうる。第１のデバイスは、関連付けおよび／またはリソース分割の結果をＷＡＮから受信しうる。この結果は、第１のデバイスに対してＰ２Ｐ通信が選択されたかＷＡＮ通信が選択されたかを示し、Ｐ２Ｐ通信のために第１のデバイスに割り付けられたリソースを示しうる。第１のデバイスは、ＷＡＮから受信される、関連付けおよび／またはリソース分割の結果に基づいて通信しうる。
【０００８】
本開示の様々な態様および特徴が、以下により詳細に記述される。
【図面の簡単な説明】
【０００９】
【図１】図１は、無線通信ネットワークを示す。
【図２】図２は、ネットワーク制御式アーキテクチャに基づいてＰ２Ｐ通信をサポートするためのプロセスを示す。
【図３】図３は、ネットワーク制御式アーキテクチャに基づいてリソース分割および関連付けを実行するためのプロセスを示す。
【図４】図４は、無線ネットワークにおけるＰ２Ｐ通信を示す。
【図５】図５は、Ｐ２Ｐ通信をサポートするためのプロセスを示す。
【図６】図６は、Ｐ２Ｐ通信に従事するためのプロセスを示す。
【図７Ａ】図７Ａは、デバイスのブロック図を示す。
【図７Ｂ】図７Ｂは、基地局のブロック図を示す。
【図８】図８は、基地局およびデバイスのブロック図を示す。
【発明を実施するための形態】
【００１０】
本明細書に記述される技術は、ＣＤＭＡ、ＴＤＭＡ、ＦＤＭＡ、ＯＦＤＭＡ、ＳＣ−ＦＤＭＡなどの様々な無線通信ネットワークおよび他の無線ネットワークに使用されうる。「ネットワーク（network）」および「システム（system）」という用語は交換して使用されることが多い。ＣＤＭＡネットワークは、ＵＴＲＡ（Universal Terrestrial Radio Access）、ｃｄｍａ２０００などのラジオ技法を実施しうる。ＵＴＲＡは、広帯域ＣＤＭＡ（ＷＣＤＭＡ（登録商標））、時分割同期ＣＤＭＡ（ＴＤ−ＳＤＭＡ）、およびＣＤＭＡの他の変形を含む。ｃｄｍａ２０００は、ＩＳ−２０００、ＩＳ−９５、およびＩＳ−８５６標準をカバーする。ＴＤＭＡネットワークは、ＧＳＭ（登録商標）（Global System for Mobile Communications）などのラジオ技法を実施しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（Ｆｌａｓｈ−ＯＦＤＭ）などのラジオ技法を実施しうる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ―Ａ）は、周波数分割複信（ＦＤＤ）および時分割複信（ＴＤＤ）の両方において、Ｅ−ＵＴＲＡを用いるＵＭＴＳの新リリースであり、それは、ダウンリンク上でＯＦＤＭＡを、アップリンク上でＳＣ−ＦＤＭＡを採用する。ＵＴＲＡ、Ｅ―ＵＴＲＡ、ＵＭＴＳ、ＬＴＥ、ＬＥＴ―Ａ、ＧＳＭは、「第３世代パートナーシッププロジェクト」（３ＧＰＰ）という名称の団体からの文書に記述されている。ｃｄｍａ２０００およびＵＭＢは、「第３世代パートナーシッププロジェクト２」（３ＧＰＰ２）という名称の団体からの文書に記述されている。本明細書に記述される技術は、上述された無線ネットワークおよびラジオ技法、並びに、他の無線ネットワークおよびラジオ技法に対して使用されうる。
【００１１】
図１は、無線通信ネットワーク、すなわちＷＡＮ１００を示し、それは、多数の基地局１１０および他のネットワークエンティティを含みうる。基地局は、デバイスと通信するエンティティであり、ノードＢ、発展型ノードＢ（ｅＮＢ）、アクセスポイントなどとも呼ばれうる。基地局１１０の各々は、特定の地理的エリアに対して通信カバレッジを提供し、このカバレッジ内に位置付されたデバイスに対して通信をサポートしうる。ネットワーク容量を改善するために、基地局のカバレッジエリア全体は、複数（例えば、３つ）のより小さいエリアに分割されうる。より小さいエリアの各々は、それぞれの基地局サブシステムによってサービス提供されうる。３ＧＰＰにおいて、「セル（ｃｅｌｌ）」という用語は、この用語が使用される状況に依存して、基地局のカバレッジエリア、および／または、このカバレッジエリアにサービス提供する基地局サブシステムを指しうる。
【００１２】
ネットワークコントローラ１３０は、これら基地局のセットに結合され、これら基地局のための調整と制御を提供しうる。ネットワークコントローラ１３０は、単一のネットワークエンティティであるか、あるいは、複数のネットワークエンティティの集合でありうる。ネットワークコントローラ１３０は、バックホールを介して基地局と通信しうる。基地局は、さらに、例えば、互いに直接通信するか、あるいは、無線または有線バックホールを介して間接的に通信しうる。
【００１３】
デバイス１２０は、無線ネットワーク全体に分散され、各デバイスは、固定またはモバイルでありうる。デバイスは、ユーザ機器（ＵＥ）、ユーザデバイス、モバイル局、端末、アクセス端末、加入者ユニット、局とも呼ばれうる。デバイスは、セルラ電話、スマートフォン、タブレット、携帯情報端末（ＰＤＡ）、無線モデム、無線通信デバイス、ハンドヘルドデバイス、ラップトップコンピュータ、コードレス電話、無線ローカルループ（ＷＬＬ）局、ネットブック、スマートブック、周辺デバイス（例えば、プリンタ）などでありうる。
【００１４】
デバイスは、無線ネットワークにおいて基地局と通信しうる。デバイスは、さらに、他のデバイスと、ピア・ツー・ピアで通信しうる。図１に示される例において、デバイス１２０ａおよび１２０ｂは、ピア・ツー・ピアで通信し、残りのデバイス１２０は、基地局１１０と通信しうる。デバイス１２０ａおよび１２０ｂは、例えば、Ｐ２Ｐ通信に従事していない場合に基地局と通信できたり、Ｐ２Ｐ通信と同時に通信できたりする。
【００１５】
本明細書の記述において、ＷＡＮ通信は、無線ネットワークにおける少なくとも１つの基地局を介したデバイス間の通信を指す。ＷＡＮデバイスは、ＷＡＮ通信に関与または従事しているデバイスである。Ｐ２Ｐ通信は、いずれの基地局も通らない、２つ以上のデバイス間での直接的な通信を指す。Ｐ２Ｐデバイスは、例えば、Ｐ２Ｐデバイスの近接内の別のデバイスについてのトラフィックデータを有するデバイスなど、Ｐ２Ｐ通信に関与または従事しているデバイスである。例えば、各デバイスがもう一方のデバイスを検出できる場合、２つのデバイスは、互いの近接に存在するとみなされうる。一般的に、デバイスは、Ｐ２Ｐ通信では直接的に、または、ＷＡＮ通信では少なくとも１つの基地局を介して、別のデバイスと通信しうる。
【００１６】
１つの設計において、Ｐ２Ｐデバイス間の直接的な通信は、Ｐ２Ｐグループにおいて編成されうる。Ｐ２Ｐグループは、Ｐ２Ｐ通信に関与または従事する２つ以上のデバイスからなるグループを指す。例えば、図１のＰ２Ｐグループ１０２は、Ｐ２Ｐ通信に関与または従事している２つのデバイス１２０ａおよび１２０ｂを含む。
【００１７】
１つの設計において、Ｐ２Ｐグループは、Ｐ２Ｐグループオーナ（すなわち、Ｐ２Ｐサーバ）、および、Ｐ２Ｐグループオーナからサービス提供を受ける１または複数のＰ２Ｐクライアントを含みうる。１つの設計において、Ｐ２Ｐ通信は、Ｐ２Ｐグループ内でのみ行われ、さらには、Ｐ２ＰグループオーナとそのＰ２Ｐクライアントとの間でのみ行われうる。例えば、同一のＰ２Ｐグループ内の２つのＰ２Ｐクライアントが情報交換を望む場合、Ｐ２Ｐグループオーナは、これらのＰ２Ｐクライアントのための送信を中継しうる。１つの設計において、Ｐ２Ｐクライアントは、１つのＰ２Ｐグループにのみ属しうる。別の設計において、Ｐ２Ｐクライアントは、１よりも多くのＰ２Ｐグループに属し、所与の時間に任意のＰ２Ｐグループ内のＰ２Ｐデバイスと通信しうる。
【００１８】
Ｐ２Ｐ通信は、特に、互いに近くに位置するデバイスの場合、ＷＡＮ通信よりも特定の利点を提供しうる。特に、２つのデバイス間のパスロスがいずれかのデバイスとそのサービング基地局との間のパスロスよりも実質的に小さいため、効率性は向上しうる。さらに、２つのデバイスは、ＷＡＮ通信での送信「ホップ（hop）」（１つのデバイスからそのサービング基地局へのアップリンク用の１つのホップと、同一または異なる基地局から他のデバイスへのダウンリンク用の別のホップ）を介してではなく、Ｐ２Ｐ通信で、単一の送信ホップを介して直接的に通信しうる。このように、Ｐ２Ｐ通信は、Ｐ２Ｐ通信にいくらかの負荷をシフトすることによって、ユーザ容量を改善するため、並びに、ネットワーク容量を改善するために使用されうる。
【００１９】
無線ネットワーク１００は、Ｐ２Ｐ通信に従事するＰ２Ｐデバイスのグループに対して同時のＷＡＮ接続性をサポートしうる。ＷＡＮ接続性は、ユーザおよびプロトコルスタックの上位レイヤの両方がそういうものとして認識しうるという点で同時でありうる。この同時性は、典型的に、デバイスがＷＡＮ通信およびＰ２Ｐ通信の両方で同時に（例えば、同一のサブフレームで）送信および／または受信することを要求しないだろう。
【００２０】
一般的に、Ｐ２Ｐ通信は、（ｉ）同一チャネルＰ２Ｐ展開において無線ネットワーク１００が使用する同一のスペクトル上で、または（ｉｉ）専用Ｐ２Ｐ展開において無線ネットワーク１００が使用しない異なるスペクトル上でサポートされうる。「スペクトル（spectrum）」という用語は、一般的に、周波数の範囲を指し、それは、周波数チャネル、周波数帯域、サブ帯域、キャリアなどに対応しうる。例えば、Ｐ２Ｐ通信は、無認可のスペクトルまたは専用Ｐ２Ｐ展開のためのホワイト空間スペクトル(white space spectrum)において、そのようなスペクトルの用途を規定する任意の制約にしたがって、サポートされうる。例えば、Ｐ２Ｐ通信をサポートするのに別々のスペクトルが利用できない場合に、同一チャネルＰ２Ｐ展開が使用されうる。同一のスペクトル上でＰ２Ｐ通信およびＷＡＮ通信を受け入れることにより、ＷＡＮデバイスとＰ２Ｐデバイスとの間で干渉が生じ、それは、下に記述されるように緩和されうる。
【００２１】
無線ネットワーク１００は、ＦＤＤを利用し、ダウンリンクでは１つのスペクトル、アップリンクでは別のスペクトル上で動作しうる。Ｐ２Ｐデバイスは、基地局からのダウンリンク送信に干渉を引き起こさないようにするために、ダウンリンクスペクトル上で送信できない可能性がある。したがって、同一チャネルＰ２Ｐ展開において、アップリンクスペクトル上のいくつかの時間周波数リソースがＰ２Ｐ通信に割り付けられうる。あるいは、無線ネットワーク１００は、ＴＤＤを利用し、ダウンリンクおよびアップリンクの両方で同一のスペクトルを利用しうる。いくつかのサブフレームがダウンリンクに割り付けられ、残りのサブフレームがアップリンクに割り付けられうる。この場合、同一チャネルＰ２Ｐ展開において、アップリンクサブフレームにおけるいくつかの時間周波数リソースは、Ｐ２Ｐ通信のために割り付けられうる。
【００２２】
１つの設計において、Ｐ２Ｐデバイスは、ＴＤＤを用いて互いに通信しうる。例えば、Ｐ２Ｐグループ内のＰ２Ｐサーバは、いくつかの時間インターバルで送信し、Ｐ２Ｐグループ内のＰ２Ｐクライアントは、他の時間インターバルで送信しうる。ＴＤＤは、専用Ｐ２Ｐ展開および同一チャネルＰ２Ｐ展開の両方において、Ｐ２Ｐ通信に使用されうる。
【００２３】
Ｐ２Ｐ通信について、Ｐ２Ｐデバイスは、ＦＤＤ展開においてアップリンクスペクトル上で送信し、ＴＤＤ展開においてアップリンクサブフレームで送信しうる。次に、Ｐ２Ｐデバイスは、それらのサービング基地局において、ＷＡＮデバイスからのアップリンク送信に対して干渉を引き起こしうる。Ｐ２Ｐデバイスは、さらに、アップリンクスペクトル上で、または、アップリンクサブフレームにおいてＷＡＮデバイスからの干渉を観測しうる。干渉は、Ｐ２Ｐデバイス並びにＷＡＮデバイスの性能を劣化させうる。
【００２４】
ある態様において、Ｐ２Ｐ通信およびＷＡＮ通信をサポートするために、干渉調整が実行され、それは以下のコンポーネントを含みうる。  
１．ＷＡＮ通信とＰ２Ｐ通信との間でのリソース分割  
２．Ｐ２Ｐデバイス間でのリソース分割リソース分割は、リソース調整、リソース割り付けなどとも呼ばれうる。「割り付け（allocate）」および「割り当て（assign）」という用語は同意語であり、本明細書において交換可能に使用される。
【００２５】
上述された第１のコンポーネントは、同一チャネルＰ２Ｐ展開に適用可能でありうる。ＷＡＮ通信に使用される同一のスペクトル上でＰ２Ｐ通信が行われる場合、Ｐ２Ｐ送信は、ＷＡＮ送信に対して干渉を引き起こす可能性があり、逆もまた同様である。この干渉の重症度は、チャネル条件など、様々な状態に依存しうる。それにもかかわらず、リソース分割を実行し、干渉を引き起こすＷＡＮおよびＰ２Ｐ送信に直交リソースを割り付けることが必要または望まれうる。例えば、直交リソースは、異なる周波数サブ帯域、異なる時間スロットまたはインターレース、あるいは、異なるリソースブロックなどに対して定義されうる。直交リソースは、時間、周波数、符号、送信電力などに関係しうる。
【００２６】
上述された第２のコンポーネントは、同一チャネルＰ２Ｐ展開および専用Ｐ２Ｐ展開の両方に適用可能でありうる。異なるＰ２Ｐ送信が互いに強く干渉し合うため、Ｐ２Ｐデバイス間でのリソース分割が実行されうる。ＷＡＮデバイスとＰ２Ｐデバイスとの間での干渉調整は、Ｐ２Ｐデバイスを専用周波数帯域上で動作させるか、ＷＡＮデバイスがアクティブでない準静的に構成されたリソース上で動作させることで回避され、Ｐ２Ｐデバイス間の干渉調整は、スペクトル使用に関係なく、適切でありうる。
【００２７】
デバイスは、（ｉ）ＷＡＮ通信だけが可能なＷＡＮ専用デバイスであるか、（ｉｉ）ＷＡＮ通信およびＰ２Ｐ通信の両方が可能なＷＡＮ／Ｐ２Ｐデバイスでありうる。ＷＡＮ／Ｐ２Ｐデバイスについて、関連付け決定（例えば、基地局によって行われる）は、デバイスがＰ２Ｐモードで動作するか、ＷＡＮモードで動作するかを決定しうる。以下の記述のうちの一部は、それ自体が関連付け決定を考慮する場合を除いて、デバイスに対する関連付け決定がすでに行われたこと、並びに、デバイスがＰ２ＰモードまたはＷＡＮモードのいずれかで動作することを想定する。関連付けは、干渉調整を実行する他の方法である。関連付けは、デバイスがＷＡＮモードで動作するかＰ２Ｐで動作するかを変更するという点で、上にリストされた２つのコンポーネントとは異なりうる。
【００２８】
別の態様において、Ｐ２ＰデバイスとＷＡＮデバイスとの間の干渉調整は、ネットワーク制御式アーキテクチャに基づいて実行されうる。ネットワーク制御式アーキテクチャについて、Ｐ２Ｐデバイスは、測定値（例えば、パスロス、干渉、性能メトリックなどの）を、それらのサービング基地局に報告しうる。基地局は、測定値に基づいて、Ｐ２Ｐデバイスに対してリソース分割および関連付けを実行しうる。基地局は、Ｐ２Ｐデバイスに、関連付け決定と割り付けられたリソースとを知らせうる。
【００２９】
ネットワーク制御式アーキテクチャは、無線ネットワークが接続性を提供しうるネットワーク透過式アーキテクチャとは異なりうるが、（恐らくＰ２Ｐ通信のために適切な量のリソースを別に設定する場合を除いて）異なるＰ２Ｐグループ間でのリソース調整に関与しない。ネットワーク透過式アーキテクチャは、Ｐ２Ｐグループに対して透過的でありうる方法で、オプションのネットワーク支援で増大されうる。それにもかかわらず、ネットワーク透過式アーキテクチャは、ネットワーク制御式アーキテクチャとは根本的に異なりうる。
【００３０】
ネットワーク制御式アーキテクチャは、ＷＡＮ通信とＰ２Ｐ通信との間、さらにはＰ２Ｐグループ間の干渉管理を容易にするために、無線ネットワークの存在を利用することができる。ネットワーク制御式アーキテクチャは、（ｉ）Ｐ２Ｐ通信およびＷＡＮ通信が同一のスペクトル上で行われる同一チャネルＰ２Ｐ展開、および（ｉｉ）Ｐ２Ｐ通信およびＷＡＮ通信が別々のスペクトル上で行われる専用Ｐ２Ｐ展開に対して使用されうる。ネットワーク制御式アーキテクチャは、さらに、Ｐ２Ｐ通信に使用される様々なラジオ技法（例えば、ＬＴＥ、ＣＤＭＡ、ＧＳＭ、ＷｉＦｉダイレクトなど）に適用可能でありうる。明瞭さのために、ＬＴＥ−ＡがＰ２Ｐ通信に使用されると想定して、本技術の特定の態様が以下に記述される。
【００３１】
ネットワーク制御式アーキテクチャの１つの設計において、基地局は、場合によってはセルエッジの隣接Ｐ２Ｐグループに関連付けられた隣接基地局の間である程度調整して、Ｐ２Ｐグループに対してリソース分割を実行しうる。ＷＡＮとＰ２Ｐグループとの間でのリソース分割は柔軟でありうる。第１の設計において、基地局は、静的に、または準静的に、リソース分割を実行し、単に、Ｐ２Ｐ通信のためにいくつかのリソースを予約(reserve)しうる。この設計において、Ｐ２Ｐグループは、Ｐ２Ｐ通信のために予約されたリソースの全部または一部が割り当てられうる。第２の設計において、基地局は、例えば、必要な場合、および、必要に応じて、リソース分割を動的に実行しうる。この設計において、Ｐ２Ｐグループは、利用可能なリソースの一部が割り当てられ、それは、割り当ての際に選択されうる。第２の設計により、Ｐ２Ｐグループは、１または複数のＷＡＮデバイスと同一のリソース上で動作できる。例えば、セルエッジ近くのＰ２Ｐグループは、基地局の近くに、または、Ｐ２Ｐグループから十分に離れて位置付けられた１または複数のＷＡＮのＵＥと同一のリソース上で動作しうる。
【００３２】
リソースは、（ｉ）ＷＡＮデバイスが隣接Ｐ２Ｐデバイスに引き起こす干渉、および（ｉｉ）Ｐ２Ｐデバイスが基地局においてＷＡＮデバイスからの送信の受信に引き起こしうる干渉の両方をアドレスすることによって、ＷＡＮデバイスとＰ２Ｐデバイスとの間で共有されうる。１つの設計において、隣接Ｐ２Ｐデバイスに対するＷＡＮデバイスからの干渉は、最初にどのＰ２ＰデバイスがＷＡＮデバイスに近いかを識別し、次に、リソース分割またはスケジューリングを通してＰ２Ｐデバイスに対するＷＡＮデバイスからの強い干渉を回避することでアドレスされうる。
【００３３】
Ｐ２ＰデバイスがＷＡＮデバイスに対して引き起こす干渉は、様々な方法で緩和されうる。１つの設計において、基地局におけるＷＡＮ送信に対してＰ２Ｐデバイスが引き起こす干渉は、リソース分割を介してアドレスされうる。基地局は、場合により隣接基地局間でいくらか調整して、ネットワーク制御式方式でリソースをＰ２Ｐデバイスに割り当てうる。別の設計において、ＷＡＮ送信に対してＰ２Ｐデバイスが引き起す干渉は、電力制御を介してアドレスされうる。例えば、Ｐ２Ｐデバイスの送信電力は、基地局におけるＷＡＮ送信への許容量の干渉に帰着する特定の最大送信電力レベルに制限されうる。この最大送信電力レベルは、Ｐ２Ｐデバイスについての上界でありうる。Ｐ２Ｐデバイスは、ＷＡＮ送信への干渉を最小化する一方で所望の性能を取得するために、可能な限り少ない送信電力を使用しうる。電力制御およびリソース分割の組み合わせは、さらに、ＷＡＮ送信に対するＰ２Ｐデバイスからの干渉を緩和するために使用されうる。
【００３４】
図２は、ネットワーク制御式アーキテクチャに基づいてＰ２Ｐ通信をサポートするためのプロセス２００の設計を示す。１つの設計において、Ｐ２Ｐデバイスは、ピア発見を実行し、Ｐ２Ｐグループオーナが送信した近接検出信号に基づいて、Ｐ２Ｐグループオーナを検出しうる（ブロック２１２）。ピア発見は、Ｐ２ＰモードまたはＷＡＮモードで動作するＷＡＮ／Ｐ２Ｐデバイスによって実行されうるが、ＷＡＮ専用デバイスによってサポートされない可能性がある。近接検出信号は、デバイスの発見および測定を助けるため、および／または他の目的のためにデバイスが送信する信号である。Ｐ２Ｐデバイスは、近接検出信号および／またはＰ２Ｐ信号に基づいて、パスロスを測定し、Ｐ２Ｐグループオーナのネットワークアドレスを発見しうる（ブロック２１４）。Ｐ２Ｐデバイスは、パスロス測定値とＰ２ＰグループオーナのネットワークアドレスとをＷＡＮ（例えば、サービング基地局）に報告しうる（ブロック２１６）。
【００３５】
ＷＡＮ（例えば、基地局または他のネットワークエンティティ）は、ＷＡＮデバイスがある場合、どのＷＡＮデバイスが、特定のＰ２Ｐグループに対して強い干渉を引き起こすかを決定しうる（ブロック２１８）。ＷＡＮは、Ｐ２Ｐグループのジャミング（jamming）が回避されうるようにＷＡＮデバイスをスケジューリングしうる（ブロック２２０）。
【００３６】
ＷＡＮは、Ｐ２Ｐデバイスからの測定値に基づいてリソース分割および／または関連付けを実行しうる（ブロック２２２）。Ｐ２Ｐグループへのリソースの割り付けは、場合によっては隣接基地局間である程度調整して、ネットワーク制御式の方式で実行され、基地局によって編成されうる。リソース分割および関連付け決定は、Ｐ２Ｐデバイスに通信されうる（ブロック２２４）。Ｐ２Ｐデバイスは、ＷＡＮデバイスからの支配干渉が緩和された後に、それらの残余干渉レベルを報告しうる。
【００３７】
ネットワーク制御式アーキテクチャは、ＷＡＮ通信およびＰ２Ｐ通信に対してより良い性能全体を提供しうる。ネットワーク制御式アーキテクチャは、ＷＡＮデバイスについての負荷およびスケジューリング情報へのアクセスを有し、ＷＡＮ通信が達成可能な性能、さらには、Ｐ２Ｐ通信が達成可能な性能を推定できる。このように、ネットワーク制御式アーキテクチャは、関連付け決定のインパクトに、より正確にアクセスでき、より良い性能を生成することができるリソース分割および関連付け決定を共同で実行できる。
【００３８】
図３は、ネットワーク制御式アーキテクチャに基づいてＰ２Ｐ通信をサポートするために、リソース分割および関連付けを実行するためのプロセス３００の設計を示す。簡潔さのために、以下の記述の大部分は、２つのＰ２ＰデバイスＡおよびＢがピア・ツー・ピアで通信することを望む場合を想定する。２より多くのＰ２Ｐデバイスを含む場合は、容易にそれに従う。Ｐ２ＰデバイスＡおよびＢは、Ｐ２ＰデバイスＡおよびＢのサービング基地局でありうる基地局Ａのカバレッジ内に存在しうる。Ｐ２ＰデバイスＡおよびＢは、図１のデバイス１２０ａおよび１２０ｂに対応し、基地局Ａは、図１の基地局１１０ａに対応しうる。
【００３９】
Ｐ２ＰデバイスＡおよびＢのためのＰ２Ｐグループの構成を開始するトリガが受信されうる（ブロック３１２）。トリガは、Ｐ２Ｐアプリケーションの一部でありうる、発見メカニズムによって提供されうる。トリガは、新しいＰ２Ｐグループを構成するために、Ｐ２ＰデバイスＡおよびＢによって使用されるアクセス手順を開始しうる。次に、Ｐ２ＰデバイスＡおよび／またはＰ２ＰデバイスＢは、互いの存在を検出するめにピア発見を実行しうる。Ｐ２ＰデバイスＡは、Ｐ２Ｐグループオーナに指定され、Ｐ２ＰデバイスＢは、Ｐ２Ｐクライアントに指定されうる。
【００４０】
１つの設計において、Ｐ２ＰデバイスＢは、Ｐ２ＰデバイスＡからの近接検出信号を検出しうる（ブロック３１４）。Ｐ２ＰデバイスＢは、近接検出信号に基づいて、Ｐ２ＰデバイスＡのパスロスを推定し、Ｐ２ＰデバイスＡのネットワークアドレスを取得しうる（ブロック３１４）。Ｐ２ＰデバイスＢは、さらに、隣接Ｐ２Ｐグループオーナからの近接検出信号を検出し、これらのＰ２Ｐグループオーナの近接検出信号に基づいて、これらのＰ２Ｐグループオーナのパスロスを推定し、それらのネットワークアドレスを取得しうる（ブロック３１４）。隣接Ｐ２Ｐグループ内のＰ２Ｐクライアントは、さらに、Ｐ２ＰデバイスＡからの近接検出信号を検出し、Ｐ２ＰデバイスＡからの近接検出信号に基づいて、Ｐ２ＰデバイスＡのパスロスを推定し、Ｐ２ＰデバイスＡのネットワークアドレスを取得しうる（ブロック３１４）。あるいは、または、さらに、Ｐ２ＰデバイスＡは、Ｐ２ＰデバイスＢからの近接検出信号を検出し、Ｐ２ＰデバイスＢについてのパスロス測定を行い、および／または、Ｐ２ＰデバイスＢのネットワークアドレスを取得しうる（ブロック３１４）。一般的に、Ｐ２Ｐクライアントは、Ｐ２Ｐサーバおよび／または他のＰ２Ｐクライアントから近接検出信号を検出しうる。あるいは、または、さらに、Ｐ２Ｐサーバは、Ｐ２Ｐクライアントおよび／または他のＰ２Ｐサーバからの近接検出信号を検出しうる。
【００４１】
Ｐ２Ｐグループ構成を進めるか否かに関して決定が行われうる（ステップ３１６）。Ｐ２Ｐグループ構成は、Ｐ２ＰデバイスＡとＢとの間の高いパスロスなど、様々な理由によって終了されうる。Ｐ２Ｐグループ構成を終了するとの決定がなされた場合、Ｐ２ＰデバイスＡおよびＢは、ＷＡＮを介して通信しうる（ブロック３３０）。そうでない場合、Ｐ２ＰデバイスＡおよび／またはＢは、パスロス測定値およびネットワークアドレスをＷＡＮに（例えば、サービング基地局Ａに）報告しうる（ブロック３１８）。Ｐ２ＰグループオーナおよびＰ２Ｐクライアントは、別々に報告しうる。
【００４２】
ＷＡＮ（例えば、基地局Ａ）は、サウンディング基準信号（(sounding reference signal) ＳＲＳ）の送信のために、ＷＡＮデバイスを構成しうる。サウンディング基準信号は、受信機が送信機と受信機との間の無線チャネルの品質を推定できるように、送信機によって送信される基準信号である。サウンディング基準信号は、ある時間にわたって変化するか、あるいは、変化しない可能性があるサブキャリアのセット上で送信される既知の変調シンボルを含みうる。Ｐ２Ｐデバイスは、異なる時間周波数リソース上で干渉を推定し、ＷＡＮデバイスによって送信されたサウンディング基準信号に基づいて、特定の時間周波数リソース上でＷＡＮデバイスからの強い干渉を検出しうる。強い干渉は、特定の閾値を上回る干渉によって量が定められうる。Ｐ２Ｐデバイスは、強い干渉条件と、強い干渉が検出される時間周波数リソースとをＷＡＮに報告しうる（ブロック３１８）。ＷＡＮは、ＷＡＮデバイスのＳＲＳ構成を知っており、強い干渉を報告するＰ２Ｐデバイスごとに、１または複数の隣接ＷＡＮデバイスを識別することができる（ブロック３２０）。ＷＡＮは、下に記述されるように、スケジューリング、リソース分割、または、ある他のメカニズムを介して、ＷＡＮデバイスからの強い干渉を緩和しうる（ブロック３２０）。
【００４３】
ネットワーク制御式リソース分割および関連付けが、共同でまたは別々にＰ２Ｐデバイスに対して実行されうる（ブロック３２２）。関連付けについて、ＷＡＮは、Ｐ２Ｐデバイスからのパスロス測定値に基づいて、より良い性能をＰ２ＰデバイスＡおよびＢに提供するのがＰ２Ｐ通信であるかＷＡＮ通信であるかを決定しうる。リソース分割について、ＷＡＮは、Ｐ２Ｐ通信のためにリソースをＰ２ＰデバイスＡおよびＢに割り当て、さらに、Ｐ２Ｐデバイスの最大送信電力レベルを決定しうる。基地局Ａは、Ｐ２Ｐデバイスの位置に依存して、（ｉ）Ｐ２Ｐデバイスのためにリソース分割および関連付けを自発的に実行するか、あるいは、（ｉｉ）リソース分割および関連付けのために１または複数の隣接基地局と調整しうる。
【００４４】
Ｐ２ＰデバイスＡおよびＢに対してＰ２Ｐ通信が選択されたか否かについての決定が行われうる（ブロック３２４）。Ｐ２Ｐ通信が選択された場合、Ｐ２ＰデバイスＡおよびＢは、ＷＡＮを介して通信しうる（ブロック３３０）。それ以外の場合、ＷＡＮは、Ｐ２ＰデバイスＡおよびＢに、割り当てられたリソースおよび最大送信電力レベルを知らせうる（ブロック３２６）。次に、Ｐ２ＰデバイスＡおよびＢは、割り当てられたリソース上で、ピア・ツー・ピアで通信しうる（ブロック３２８）。Ｐ２ＰデバイスＢは、Ｐ２ＰデバイスＡとの通信リンクを確立するために、割り当てられたリソース上でランダムアクセスチャネル（ＲＡＣＨ）手順を実行しうる（ブロック３２８）。図３の様々なステップがより詳細に下に記述される。
【００４５】
新しいＰ２Ｐクライアントが、既存のＰ２Ｐグループに参加することを望みうる。新しいＰ２Ｐクライアントは、Ｐ２Ｐグループ構成について図３に示された手順に類似しうるアクセス手順を実行しうる。新しいＰ２Ｐクライアントは、例えば、上述されたＰ２Ｐグループ構成の場合と類似した方法で、Ｐ２Ｐデバイスに対して発見を実行し、検出されたＰ２Ｐデバイスについてのパスロス測定を行い、測定値をＷＡＮに報告しうる。さらに、新しいＰ２Ｐクライアントの近傍にある干渉を引き起こすＷＡＮデバイスは、上述されたように識別されうる。ＷＡＮは、報告された測定値と、識別された干渉を引き起こすＷＡＮデバイスとに基づいて、新しいＰ２Ｐクライアントに対してリソース分割および関連付けを実行しうる。ＷＡＮは、新しいＰ２ＰクライアントがＰ２Ｐグループに参加した結果としてのリソース分割および関連付けへの変更点を決定し、上述されたように、この変更点をグループＰ２Ｐオーナに通信しうる。
【００４６】
１つの設計において、Ｐ２Ｐデバイスは、ピア発見を実行し、近接検出信号に基づいてパスロス測定を実行しうる。近接検出信号は、基準信号および／または他の信号並びに送信を備えうる。基準信号は、送信機および受信機によってアプリオリ(a priori)に知られる信号であり、パイロットとも呼ばれうる。Ｐ２Ｐデバイスは、時々（例えば、周期的に）、近接検出信号を送信し、他のデバイスがＰ２Ｐデバイスの存在を検出できるようにする。あるいは、または、さらに、Ｐ２Ｐデバイスは、時々、その近接にある他のデバイスからの近接検出信号を検出しうる。近接検出信号は、他のリソースよりも干渉が少ない、近接検出信号を送信するために予約されたリソース上で送信され、それにより、より遠くのデバイスによる近接検出信号の検出が可能でありうる。近接検出信号は、さらに、ＷＡＮ通信および／またはＰ２Ｐ通信に使用されるリソース上で送信されうる。
【００４７】
近接検出信号は、様々な方法で生成され、送信側のＰ２Ｐデバイスの発見アイデンティティ（ＩＤ）、送信側のＰ２Ｐデバイスのネットワークアドレス、送信側のＰ２Ｐデバイスが提供または要求したサービスなどの様々なタイプの情報、および／または他の情報を含みうる。発見ＩＤは、小さいエリア（例えば、基地局のカバレッジエリア）内のＰ２Ｐデバイスに対して一意的であり、ネットワークアドレスは、より大きいエリアにわたりＰ２Ｐデバイスに対して一意的でありうる。異なるＰ２Ｐデバイスは、さらに、近接検出信号で異なる情報を送信しうる。１つの設計において、Ｐ２Ｐグループオーナは、その発見ＩＤまたはネットワークアドレスを近接検出信号で送信し、それによって、Ｐ２Ｐクライアントは、Ｐ２Ｐグループオーナのネットワークアドレスを取得できる。１つの設計において、ネットワークアドレスは、近接検出信号から発見ＩＤを受信し、レジストレーション／発見サーバを通して発見ＩＤをネットワークアドレスに変換することによって取得されうる。別の設計において、ネットワークアドレスは、近接検出信号から直接取得されうる。
【００４８】
１つの設計において、Ｐ２Ｐグループオーナは、時々（例えば、周期的に）、他のデバイスがＰ２Ｐグループオーナの存在を検出できるように、近接検出信号を送信しうる。この設計では、図３のＰ２ＰデバイスＡが近接検出信号を送信し、Ｐ２ＰデバイスＢが近接検出信号を検出しうる。Ｐ２ＰデバイスＢは、Ｐ２ＰデバイスＡとＢとの間のパスロスを推定し、さらに、Ｐ２ＰデバイスＡによって送信された近接検出信号に基づいてＰ２ＰデバイスＡのネットワークアドレスを決定しうる。
【００４９】
別の設計において、Ｐ２Ｐクライアントは、時々、他のデバイスがＰ２Ｐクライアントの存在を検出できるように、近接検出信号を送信しうる。この設計では、図３のＰ２ＰデバイスＢが近接検出信号を送信し、Ｐ２ＰデバイスＡが近接検出信号を検出しうる。Ｐ２ＰデバイスＡは、デバイスＢによって送信された近接検出信号に基づいて、パスロスを推定しＰ２ＰデバイスＢのネットワークアドレスを決定しうる。
【００５０】
さらに別の設計において、各Ｐ２Ｐデバイスは、近接検出信号を送信し、さらに、他のＰ２Ｐデバイスから近接検出信号を検出しうる。この設計において、Ｐ２ＰデバイスＡは、Ｐ２ＰデバイスＢを検出し、デバイスＢによって送信された近接検出信号に基づいて、パスロスを推定し、Ｐ２ＰデバイスＢのネットワークアドレスを決定しうる。同様に、Ｐ２ＰデバイスＢは、Ｐ２ＰデバイスＡを検出し、デバイスＡによって送信された近接検出信号に基づいて、パスロスを推定し、Ｐ２ＰデバイスＡのネットワークアドレスを決定しうる。
【００５１】
Ｐ２ＰデバイスＡからの送信によって干渉を受けうる隣接Ｐ２Ｐグループ内のＰ２Ｐデバイス（例えば、Ｐ２Ｐクライアント）は、Ｐ２ＰデバイスＡからの近接検出信号を検出し、Ｐ２ＰデバイスＡへのパスロスとＰ２ＰデバイスＡのネットワークアドレスとを決定しうる。隣接Ｐ２Ｐグループ内のＰ２Ｐデバイスは、それらのパスロス測定値および／またはＰ２ＰデバイスＡのネットワークアドレスをそれらのＰ２Ｐグループオーナ、または、既存のＰ２Ｐグループからのフィードバックを集めうるそれらの基地局に報告しうる。
【００５２】
Ｐ２ＰデバイスＡおよび／またはＢは、さらに、同様の方法で進められうる。特に、Ｐ２ＰデバイスＡおよび／またはＢは、隣接Ｐ２Ｐグループ内のＰ２Ｐデバイスからの近接検出信号を検出し、隣接Ｐ２Ｐデバイスのパスロスおよびネットワークアドレスを決定し、それらのパスロス測定値およびネットワークアドレスをサービング基地局Ａに報告しうる。
【００５３】
Ｐ２ＰデバイスＡおよび／またはＢは、さらに、それらのサービング基地局Ａの受信信号強度および／または受信信号品質を測定し、この測定値を基地局Ａに報告しうる。これらの測定値は、ＷＡＮ通信でのＰ２ＰデバイスＡおよびＢの性能を推定するために使用されうる。この性能情報は、Ｐ２ＰデバイスＡおよびＢに対してＰ２Ｐ通信を選択するかＷＡＮ通信を選択するかを決定する関連付けのために、報告された他の測定値と共に使用されうる。
【００５４】
リソースは、ＷＡＮ通信およびＰ２Ｐ通信に静的または準静的に割り付けられうる。このケースにおいて、ＷＡＮデバイスは、Ｐ２Ｐデバイスに対して強い干渉を引き起こし、逆もまた同様である。ＷＡＮデバイスおよびＰ２Ｐデバイスが近接にある場合に生じうる強い干渉条件を回避するために、Ｐ２Ｐデバイスへの支配干渉であるＷＡＮデバイスが識別されうる。
【００５５】
Ｐ２Ｐデバイスに強い干渉を引き起こすＷＡＮデバイスは、様々な方法で識別されうる。１つの設計において、下に記述されるように、測定値に基づいて、干渉を引き起こすＷＡＮデバイスがＰ２Ｐデバイスによって識別されうる。別の設計において、干渉を引き起こすＷＡＮデバイスは、Ｐ２Ｐデバイスの位置に対するそれらの位置に基づいて識別されうる。デバイスの位置は、受信信号強度測定値、配置、および／または、他の手段に基づいて推定されうる。さらに別の設計において、干渉を引き起こすＷＡＮデバイスは、無線周波数（ＲＦ）フィンガープリンティング（fingerprinting）に基づいて識別されうる。異なるデバイスは、それらがセルのセットに対して類似した受信信号強度測定値を有する場合、互いの近くに位置付けられると想定されうる。干渉を引き起こすＷＡＮデバイスは、他の方法でも識別されうる。
【００５６】
１つの設計において、Ｐ２Ｐデバイスに対して干渉を引き起こすＷＡＮデバイスの検出を容易にするために、ＷＡＮデバイスは、無線ネットワークによって、サウンディング基準信号を送信するように構成されうる。１つの設計において、異なるＷＡＮデバイスは、これらのＷＡＮデバイスがサウンディング基準信号に基づいて識別されうるように、それらのサウンディング基準信号をサブキャリアの異なるセット上で、および／または、他の顕著な特性を用いて送信するように構成されうる。
【００５７】
１つの設計において、Ｐ２Ｐデバイスは、異なる時間周波数リソース上の干渉を測定し、ＷＡＮデバイスからのサウンディング基準信号による強い干渉を検出しうる。Ｐ２Ｐデバイスは、強い干渉条件を、強い干渉が検出された特定のリソースについての情報と共に、それらのサービング基地局に報告しうる。基地局は、どのＷＡＮデバイスがどの特定リソース上で送信するようにスケジューリングされたか気づいている可能性がある。次に、基地局は、どのＷＡＮデバイスが強い干渉を引き起こした可能性があるかを、Ｐ２Ｐデバイスによって報告された干渉条件に基づいて決定することができる。
【００５８】
基地局は、Ｐ２Ｐデバイスからの報告に基づいて、Ｐ２Ｐデバイスに対して強い干渉を引き起こすＷＡＮデバイスを識別することができる。識別されたＷＡＮデバイスからの強い干渉は、様々な方法で減らされうる。１つの設計において、基地局は、スケジューリングを通して、干渉を引き起こすＷＡＮデバイスによる干渉を緩和しうる。基地局は、Ｐ２Ｐデバイスへの強い干渉が回避されるように、Ｐ２Ｐデバイスによって使用されないリソース上に干渉を引き起こすＷＡＮデバイスをスケジューリングしうる。スケジューリングは、強い干渉を緩和するのに効果的でありうる。しかしながら、ＷＡＮデバイスからのいくつかの残余干渉が残りうる。１つの設計において、ＷＡＮデバイスからの残余干渉は、ある時間にわたりＰ２Ｐデバイスによって測定され、基地局に報告されうる。残余干渉についての情報は、リソース分割を実行する際に考慮されうる。別の設計において、残余干渉は報告されない可能性がある（例えば、Ｐ２Ｐグループ構成手順の一部として）。このケースにおいて、熱干渉（(interference-over-thermal) ＩｏＴ）の公称値は、初期リソース分割に使用されうる。Ｐ２Ｐグループ構成が完了した後、Ｐ２Ｐ通信が確立されると、公称ＩｏＴ値が精微(refined)される。
【００５９】
１つの設計において、基地局は、カバレッジおよび制御内の全てのＰ２Ｐグループから測定値を受信し、集中型の方式でリソース分割および関連付けを実行しうる。基地局の制御下にあるＰ２Ｐグループは、「セル中央（cell-center）の」Ｐ２Ｐグループと、「セルエッジ（cell-edge）の」Ｐ２Ｐグループとを含みうる。セル中央のＰ２Ｐグループは、セル中央の近くに位置付けられ、基地局の制御下にない隣接Ｐ２Ｐグループからの干渉をそれ程観察しない可能性がある。セルエッジのＰ２Ｐグループは、セルエッジ近くに位置付けられ、隣接Ｐ２Ｐグループからの強い干渉を観察しうる。
【００６０】
１つの設計において、基地局は、隣接基地局とインタラクトする必要なく、セル中央のＰ２Ｐグループ対してリソース分割および関連付けを自動的に実行しうる。基地局は、セルエッジのＰ２Ｐグループと隣接Ｐ２Ｐグループとの間の干渉を緩和するために、１または複数の隣接基地局と調整しうる。しかしながら、基地局間の調整は、複雑性を減らすために、可能な限り限られうる。
【００６１】
１つの設計において、関連付けおよびリソース分割は共同で実行されうる。例えば、Ｐ２Ｐグループがより良いサービスを受けるのはＰ２Ｐ通信であるかＷＡＮ通信であるかについての決定は、Ｐ２Ｐ通信に対する、さらに、ＷＡＮ通信に対するリソースの初期割り当てに基づいて行われうる。より良い性能を提供することができる通信モードが選択されうる。一般的に、ネットワーク制御式アーキテクチャは、異なる複雑性および性能トレードオフを有する様々なリソース分割および関連付けスキームをサポートすることができる。
【００６２】
基地局は、上述されたように、Ｐ２Ｐデバイスに対するリソース分割および関連付け決定を行いうる。１つの設計において、基地局は、決定をＰ２Ｐグループオーナに通信しうる。これらの決定は、リソース割り付けが有効になる開始時間だけでなく、Ｐ２Ｐグループへのリソースの割り当てを含みうる。Ｐ２Ｐグループ構成について、基地局は、さらに、それらのＰ２Ｐグループオーナとの接続を確立するために使用するランダムアクセスチャネル（ＲＡＣＨ）に対するリソースをＰ２Ｐクライアントに知らせうる。
【００６３】
１つの設計において、Ｐ２Ｐグループオーナのアポイントメントについての異なる仮説が、どのアポイントメントがより良い性能を提供するかを決定するために、テストされうる。ネットワーク制御式アーキテクチャにおいて、そのような仮説をテストすることは、大部分の計算が基地局の内側（セルエッジのＰ２Ｐグループに対して実行されうるいくつかの調整とは離れて）でありうるため、実施が比較的簡易でありうる。
【００６４】
ネットワーク制御式アーキテクチャにおいて、ＷＡＮは、リソース分割を編成し、デバイスのグループによって達成されうるスループット／ユティリティの公平に正確な推定を有しうる。よって、ＷＡＮは、ＷＡＮ通信およびＰ２Ｐ通信の両方の場合におけるＰ２Ｐデバイスの性能についての知識を有しうる。ＷＡＮは、関連付け決定をより賢明に行うために、この知識を使用しうる。結果として、ネットワーク制御式アーキテクチャにおいて、リソース分割と関連付けとを共同で実行することが望まれ、それは、リソース分割および関連付けを別々に実行するよりも良い性能を提供しうる。
【００６５】
基地局は、ネットワーク制御式アーキテクチャでのカバレッジ内のＰ２Ｐグループに対してリソース分割および関連付けを実行しうる。しかしながら、複数の基地局のカバレッジのエッジに位置付けられたいくつかのＰ２Ｐグループが存在しうる。
【００６６】
図４は、無線ネットワークにおけるＰ２Ｐ通信を示す。２つの基地局１１０ａおよび１１０ｂは、図４に示されないＷＡＮデバイスに対する通信をサポートしうる。基地局１１０ａは、点線４１０の左にカバレッジエリアを有し、基地局１１０ｂは、点線４１２の右にカバレッジエリアを有しうる。セルエッジエリア４１４は、基地局１１０ａのカバレッジエリアと、基地局１１０ｂのカバレッジエリアとの重複部に対応しうる。
【００６７】
図４に示される例において、４つのＰ２Ｐグループ４２０ａ〜４２０ｄは、基地局１１０ａのカバレッジ内に位置付けされ、４つのＰ２Ｐグループ４２２ａ〜４２２ｄは、基地局１１０ｂのカバレッジ内に位置付けされうる。６つのセルエッジのＰ２Ｐグループ４２４ａ〜４２４ｆは、セルエッジエリア４１４内に位置付けされうる。Ｐ２Ｐグループ４２４ａ〜４２４ｃは、基地局１１０ａの制御下にあり、Ｐ２Ｐグループ４２４ｄ〜４２４ｆは、基地局１１０ｂの制御下にありうる。簡潔さのために、図４は、各々が２つのＰ２Ｐデバイスを含むＰ２Ｐグループを示す。各Ｐ２Ｐグループについて、Ｐ２Ｐグループオーナは、黒塗の円で示され、Ｐ２Ｐクライアントは、塗りつぶしのない円で示される。所与のＰ２Ｐグループ内のＰ２Ｐデバイスは、他のＰ２Ｐグループ内のＰ２Ｐデバイスから干渉を受信しうる。Ｐ２Ｐデバイス間の干渉は、図４においてＰ２Ｐクライアント間の点線で表される。
【００６８】
各基地局は、その基地局の制御下にあり、隣接基地局と通信するＷＡＮデバイスからの強い干渉を観察しないセル中央のＰ２Ｐグループに対してリソース分割および関連付けを自発的に実行しうる。図４に示される例において、基地局１１０ａは、Ｐ２Ｐグループ４２０ａ〜４２０ｄに対してリソース分割および関連付けを実行し、基地局１１０ｂは、Ｐ２Ｐグループ４２２ａ〜４２２ｄに対してリソース分割および関連付けを実行しうる。隣接基地局は、これらの基地局のカバレッジエッジに位置付けられたセルエッジのＰ２Ｐグループに対してリソース分割および関連付けを実行するために調整しうる。これらのセルエッジのＰ２Ｐグループは、互いの近接内にあり、強い干渉を引き起こしうる。例えば、基地局１１０ａおよび１１０ｂは、全てのＰ２Ｐグループ４２２に対して良い性能が達成されうるために、図４のＰ２Ｐグループ４２４ａ〜４２４ｆに対してリソース分割および関連付けを実行するように調整しうる。セルエッジのＰ２Ｐグループをアドレスするための基地局間の調整量は、バックホールへの負荷を減らすため、および、セルの中心の近くに位置付けられたセル中央のＰ２Ｐグループがそのような調整要求しないという事実を利用するために、可能な限り制限されうる。
【００６９】
１つの設計において、セルエッジのＰ２Ｐグループおよびセル中央のＰ２Ｐグループに対するリソース分割は、以下のように実行されうる。最初に、基地局間の調整を要求しうるセルエッジのＰ２Ｐグループが識別されうる。これらのＰ２Ｐグループは、異なる基地局に関連付けられうるが、リソース分割のためにそれらの基地局による調整を要求しうる。セルエッジのＰ２Ｐグループが識別されると、基地局のうちの１つが、これらのＰ２Ｐグループに対する初期リソース分割を決定するために選択されうる。初期リソース分割は、固定でありうる。次に、各基地局は、セルエッジのＰ２Ｐグループに対する初期リソース分割の制約を伴って、そのカバレッジ内の残りのセル中央のＰ２Ｐグループに対してリソース分割を実行しうる。この設計は、基地局間の調整を、リソース分割の初期段階に制限しうる。
【００７０】
別の設計において、セルエッジのＰ２Ｐグループおよびセル中央のＰ２Ｐグループに対するリソース分割が繰り返し実行されうる。この設計において、隣接基地局は、セルエッジのＰ２Ｐグループに対するリソース分割の評価を交代で行いうる。次に、基地局は、セルエッジのＰ２Ｐグループに関する特定のリソース分割について交渉しうる。次に、各基地局は、セルエッジのＰ２Ｐグループに対する初期のリソース分割の制約を伴って、そのセル中央のＰ２Ｐグループに対してリソース分割を実行しうる。
【００７１】
さらに別の設計において、隣接基地局は、静的に、または準静的に、各基地局に関連付けられたセルエッジのＰ２Ｐグループのためにいくつかのリソースを予約しうる。次に、各基地局は、その基地局に関連付けられたセルエッジのＰ２Ｐグループに対して予約されたリソースを、そのセルエッジのＰ２Ｐグループに割り当てうる。この設計は、セルエッジのＰ２Ｐグループに対するリソースの静的／準静的な予約に制限されうる基地局間の調整を減らしうる。
【００７２】
セルエッジのＰ２Ｐグループに対するリソース分割のための基地局間の調整は、他の方法でも実行されうる。一般的に、性能とオーバヘッドとの間のトレードオフ並びに利用可能なリソースの数に基づいて、セルエッジのＰ２Ｐグループに対して特定の調整メカニズムが選択されうる。利用可能なリソースの数が少ないと、良い性能を達成するために、より注意深いプランニングが必要になりうる。利用可能なリソースの数が多いと、リソース分割の際にさらなる柔軟性が可能になり、よって、良い性能を達成するために、基地局間の調整をそれ程要求しなくてよい。
【００７３】
図５は、無線通信をサポートするためのプロセス５００の設計を示す。プロセス５００は、ネットワークエンティティによって実行され、それは、基地局、ネットワークコントローラ、またはある他のエンティティでありうる。ネットワークエンティティは、Ｐ２Ｐ通信およびＷＡＮ通信をサポートしうる第１のデバイスから少なくとも１つの測定値を受信しうる（ブロック５１２）。少なくとも１つの測定値は、第１のデバイスによって検出された少なくとも１つの第２のデバイスについてのものである。少なくとも１つの測定値についての報告は、第１のデバイスによって開始され、それは、少なくとも１つの測定値を送る前にＷＡＮ通信に従事しうる。ネットワークエンティティは、Ｐ２Ｐ通信またはＷＡＮ通信を選択するための関連付け、および／または、第１のデバイスに対してＰ２Ｐ通信のためにリソースを割り付けるためのリソース分割を、少なくとも１つの測定値に基づいて実行しうる（ブロック５１４）。ネットワークエンティティは、関連付けおよび／またはリソース割り付けの結果を第１のデバイスに送りうる（ブロック５１６）。
【００７４】
ブロック５１２の１つの設計において、少なくとも１つのパスロス測定値が第１のデバイスから受信されうる。各パスロス測定値は、第１のデバイスと少なくとも１つの第２のデバイスのうちの１つとの間のパスロスを示しうる。少なくとも１つの第２のデバイスの少なくとも１つのネットワークアドレスがさらに第１のデバイスから受信されうる。第１のデバイスと、少なくとも１つの第２のデバイスとを含むＰ２Ｐグループは、少なくとも１つの第２のデバイスの少なくとも１つのネットワークアドレスに基づいて識別されうる。
【００７５】
ブロック５１４の１つの設計において、関連付けが実行され、第１のデバイスに対してＰ２Ｐ通信またはＷＡＮ通信が、少なくとも１つの測定値に基づいて選択されうる。第１の設計において、Ｐ２Ｐ通信での第１のデバイスの性能が推定され、ＷＡＮ通信での第１のデバイスの性能が推定されうる。Ｐ２Ｐ通信での推定された性能、および、ＷＡＮ通信での推定された性能に基づいて、Ｐ２Ｐ通信またはＷＡＮ通信が第１のデバイスに対して選択されうる。第１のデバイスに対してＰ２Ｐ通信が選択されているかＷＡＮ通信が選択さているかについての決定が第１のデバイスに送られうる（図５１６に示されるように）。
【００７６】
ブロック５１４の別の設計において、リソース分割が実行され、リソースは、Ｐ２Ｐ通信のために第１のデバイスに割り付けられうる。ブロック５１６において、割り付けられたリソースを示す情報が第１のデバイスに送られうる。１つの設計において、Ｐ２Ｐ通信での第１のデバイスに対する最大送信電力レベルが決定されうる。最大送信電力レベルを示す情報が第１のデバイスに送られうる。１つの設計において、１または複数の測定値が第１のデバイスを含むＰ２Ｐグループに参加することを望む第３のデバイスから受信されうる。Ｐ２Ｐグループに参加する第３のデバイスを考慮する（account for）ために、Ｐ２Ｐグループに対するリソースの割り付けが更新されうる。
【００７７】
１つの設計において、第１のデバイスに対して潜在的に強い干渉を引き起こす少なくとも１つのＰ２Ｐデバイス（の、例えば、少なくとも１つのネットワークアドレス）を示す情報が受信されうる。リソースは、第１のデバイスに対する少なくとも１つのＰ２Ｐデバイスからの干渉が減らされうるように、第１のデバイスおよび／または少なくとも１つのＰ２Ｐデバイスに割り付けられうる。
【００７８】
１つの設計において、セル間干渉調整をサポートするために、１または複数のＰ２Ｐデバイスについての測定値が、第１の基地局のカバレッジ内に位置付けられた第１のデバイスから受信されうる。１または複数のＰ２Ｐデバイスは、第２の基地局のカバレッジ内に位置付されうる。１または複数のＰ２Ｐデバイスについての測定値が第１の基地局から第２の基地局に転送されうる。
【００７９】
１つの設計において、リソース分割は、少なくとも１つの隣接基地局との調整を伴って、第１の基地局によって第１のＰ２Ｐグループに対して実行されうる。少なくとも１つの隣接基地局との調整なく、第１の基地局によって第２のＰ２Ｐグループのためのリソース分割が実行されうる。第１の基地局および少なくとも１つの隣接基地局は、リソースを第１のＰ２Ｐグループに割り当てるように交渉しうる。１つの設計において、第１のリソースは、第１の基地局および少なくとも１つの隣接基地局を含む基地局のグループ内の、第１のＰ２Ｐグループをサポートするために指定された基地局でありうる指定の基地局によって第１のＰ２Ｐグループに割り当てられうる。第２のリソースは、第１のリソースを除く利用可能なリソースから第１の基地局によって選択され、第２のＰ２Ｐグループに割り当てられうる。別の設計において、セルエッジのＰ２Ｐグループのために予約されたリソースから第１のリソースが第１の基地局によって選択され、第１のＰ２Ｐグループに割り当てられうる。第２のリソースは、予約されたリソースを除く利用可能なリソースから第１の基地局によって選択され、第２のＰ２Ｐグループに割り当てられうる。
【００８０】
１つの設計において、少なくとも１つのＷＡＮデバイスについての少なくとも１つの干渉測定値は、第１のデバイスから受信されうる。各ＷＡＮデバイスは、ＷＡＮと通信しうる。各干渉測定値は、１つのＷＡＮデバイスから第１のデバイスによって検出される強い干渉を示しうる。少なくとも１つのＷＡＮデバイスは、第１のデバイスへの干渉を減らすために異なるリソース上でスケジューリングされうる。あるいは、または、さらに、少なくとも１つのＷＡＮデバイスの送信電力レベルは、第１のデバイスへの干渉を緩和するために減らされうる。
【００８１】
１つの設計において、少なくとも１つのＷＡＮデバイスは、異なるリソース上でサウンディング基準信号を送信するように構成されうる。各干渉測定値は、強い干渉が第１のデバイスによって検出される特定のリソースを示しうる。第１のデバイスによって強い干渉が検出されたリソース、および、各ＷＡＮデバイスがサウンディング基準信号を送信するように構成されたリソースに基づいて、第１のデバイスに強い干渉を引き起こす少なくとも１つのＷＡＮデバイスが識別される。
【００８２】
図６は、ＷＡＮにおける無線通信のためのプロセス６００の設計を示す。プロセス６００は、第１のデバイス（下に記述されるように）、または、他のエンティティによって実行されうる。第１のデバイスは、Ｐ２Ｐ通信およびＷＡＮ通信をサポートし、ピア発見を実行し（ブロック６１２）、ピア発見を介して少なくとも１つの第２のデバイスを検出しうる（ブロック６１４）。第１のデバイスは、少なくとも１つの第２のデバイスについての少なくとも１つの測定値を取得し（ブロック６１６）、少なくとも１つの測定値をＷＡＮに送りうる（ブロック６１８）。１つの設計において、第１のデバイスは、少なくとも１つの第２のデイスの少なくとも１つのネットワークアドレスを決定し、少なくとも１つの第２のデバイスの少なくとも１つのバネットワークアドレスをＷＡＮに送りうる。第１のデバイスは、Ｐ２Ｐ通信またはＷＡＮ通信を選択するための関連付け、および／または、Ｐ２Ｐ通信のためにリソースを割り付けるためのリソース分割の結果をＷＡＮから受信しうる（ブロック６２０）。ＷＡＮは、第１のデバイスに対して関連付けおよび／またはリソース分割を、少なくとも１つの測定値に基づいて実行しうる。第１のデバイスは、関連付けおよび／またはリソース分割の結果に基づいて通信しうる（ブロック６２２）。
【００８３】
ブロック６１２の１つの設計において、第１のデバイスは、少なくとも１つの他のデバイスが第１のデバイスを検出できるように、近接検出信号を送信しうる。別の設計において、第１のデバイスは、少なくとも１つの第２のデバイスから少なくとも１つの近接検出信号を検出しうる。次に、第１のデバイスは、少なくとも１つの近接検出信号に基づいて、少なくとも１つの第２のデバイスについて少なくとも１つの測定を行いうる。１つの設計において、第１のデバイスは、少なくとも１つの第２のデバイスについて、少なくとも１つのパスロス測定を行い、ここで、各パスロス測定値は、第１のデバイスと１つの第２のデバイスとの間のパスロスを示す。
【００８４】
ブロック６２０の１つの設計において、第１のデバイスは、第１のデバイスのためにＷＡＮによって選択されたＰ２Ｐ通信またはＷＡＮ通信についての決定を受信しうる。第１のデバイスは、Ｐ２Ｐ通信が選択された場合、少なくとも１つの第２のデバイスと直接通信しうる。ブロック６２２の別の設計において、第１のデバイスは、Ｐ２Ｐ通信のために第１のデバイスに割り付けられたリソースを示す情報を受信しうる。第１のデバイスは、割り付けられたリソース上で少なくとも１つの第２のデバイスと直接通信しうる。
【００８５】
１つの設計において、第１のデバイスは、Ｐ２Ｐ通信に使用する最大送信電力レベルを受信しうる。次に、第１のデバイスは、Ｐ２Ｐ通信での最大送信電力レベル以下で送信しうる。
【００８６】
１つの設計において、第１のデバイスは、第１のデバイスに潜在的に強い干渉を引き起こす少なくとも１つのＰ２Ｐデバイスを検出しうる。第１のデバイスは、少なくとも１つのＰ２Ｐデバイスを示す情報をＷＡＮに送りうる。少なくとも１つのＰ２Ｐデバイスは、第１のデバイスへの干渉を緩和するためにスケジューリングされうる（例えば、異なるリソース上で）。
【００８７】
１つの設計において、第１のデバイスは、少なくとも１つのＷＡＮデバイスについて少なくとも１つの干渉測定を行いうる。各干渉測定値は、異なるリソース上で行われ、１つのＷＡＮデバイスからの、第１のデバイスによって検出される干渉を示しうる。各干渉測定値は、強い干渉が第１のデバイスによって検出される特定のリソースに関連付けられうる。第１のデバイスは、少なくとも１つのＷＡＮデバイスについての少なくとも１つの干渉測定値をＷＡＮに送りうる。少なくとも１つのＷＡＮデバイスは、第１のデバイスへの干渉を緩和するために、スケジューリングされ、および／または、それらの送信電力が減らされうる。
【００８８】
１つの設計において、第１のデバイスは、第１のデバイスおよび少なくとも１つの第２のデバイスを含むＰ２Ｐグループ内のＰ２Ｐクライアントでありうる。第１のデバイスは、少なくとも１つの第２のデバイスとＰ２Ｐ通信リンクを確立するためにランダムアクセス手順を実行しうる。別の設計において、第１のデバイスは、Ｐ２Ｐグループ内のＰ２Ｐサーバでありうる。第１のデバイスは、Ｐ２Ｐ通信でのデータ送信のために、少なくとも１つの第２のデバイスをスケジューリングしうる（例えば、Ｐ２Ｐグループに割り付けられたリソースに基づいて）。
【００８９】
図７Ａは、Ｐ２Ｐ通信およびＷＡＮ通信が可能なデバイス１２０ｘの設計のブロック図を示す。デバイス１２０ｘ内で、受信機７１２は、Ｐ２Ｐ通信ではＰ２Ｐデバイスによって送信された近接検出信号およびＰ２Ｐ信号を、ＷＡＮ通信では基地局から送信されたダウンリンク信号を受信しうる。送信機７１４は、Ｐ２Ｐ通信では近接検出信号およびＰ２Ｐ信号をＰ２Ｐデバイスに、ＷＡＮ通信ではアップリンク信号を基地局に送信しうる。モジュール７１６は、ピア発見を実行し、Ｐ２Ｐデバイスを検出しうる。モジュール７１８は、干渉を引き起こすＷＡＮデバイスを検出しうる。モジュール７２０は、検出されたデバイスおよび基地局の受信電力についての測定を行い、受信された電力測定値に基づいてパスロスを決定しうる。モジュール７２０は、さらに、Ｐ２Ｐ通信に使用されうる異なるリソース上で干渉を測定しうる。
【００９０】
モジュール７２２は、測定値、ネットワークアドレス、および／または他の情報をサービング基地局に報告しうる。モジュール７２４は、例えば、Ｐ２Ｐ通信に使用される信号を生成および処理するなど、Ｐ２Ｐ通信をサポートしうる。モジュール７２６は、例えば、ＷＡＮ通信に使用される信号を生成および処理するなど、ＷＡＮ通信をサポートしうる。デバイス１２０ｘ内の様々なモジュールが、上述されたように動作しうる。コントローラ／プロセッサ７２８は、デバイス１２０ｘ内の様々なモジュールの動作を指揮しうる。メモリ７３０は、デバイス１２０ｘについてのデータおよびプログラムコードを記憶しうる。
【００９１】
図７Ｂは、Ｐ２Ｐ通信およびＷＡＮ通信をサポートする基地局１１０ｘの設計のブロック図を示す。基地局１１０ｘ内で、受信機７５２は、ＷＡＮ通信でデバイスによって送信されたアップリンク信号を受信しうる。送信機７５４は、ＷＡＮ通信でダウンリンク信号をデバイスに送信しうる。モジュール７５６は、測定値、ネットワークアドレスなどを備える報告をデバイスから受信しうる。モジュール７５８は、Ｐ２Ｐ通信のために利用可能なリソースのいくつかを割り付けるためにリソース分割を実行しうる。
【００９２】
モジュール７６０は、関連付けを実行し、デバイスに対してＷＡＮ通信またはＰ２Ｐ通信を選択しうる。モジュール７６２は、例えば、上述されたように、Ｐ２Ｐ通信に割り付けるリソースを決定するために、他の基地局とリソース交渉を実行しうる。モジュール７６４は、例えば、ＷＡＮ通信に使用される信号を生成および処理するなど、デバイスに対してＷＡＮ通信をサポートしうる。モジュール７６６は、バックホール（例えば、リソース分割のために）を介して、他のネットワークエンティティ（例えば、他の基地局）との通信をサポートしうる。基地局１１０ｘ内の様々なモジュールが、上述されたように動作しうる。コントローラ／プロセッサ７６８は、基地局１１０ｘ内の様々なモジュールの動作を指揮しうる。メモリ７３０は、基地局１１０ｘに対するデータおよびプログラムコードを記憶しうる。
【００９３】
図７Ａのデバイス１２０ｘ内のモジュールおよび図７Ｂの基地局１１０ｘ内のモジュールは、プロセッサ、電子デバイス、ハードウェアデバイス、電子コンポーネント、論理回路、メモリ、ソフトウェアコード、ファームウェアコードなど、あるいは、それらの任意の組み合わせを備えうる。
【００９４】
図８は、基地局１１０ｙおよびデバイス１２０ｙの設計のブロック図を示し、それは、図１の基地局のうちの１つ、および、デバイスのうちの１つでありうる。基地局１１０ｙは、Ｔ個のアンテナ８３４ａ〜８３４ｔを備え、デバイス１２０ｙは、Ｒ個のアンテナ８５２ａ〜８５２ｒを備えうる。ここで、一般的に、Ｔ≧１並びにＲ≧１である。
【００９５】
基地局１１０ｙにおいて、送信プロセッサ８２０は、データをデータソース８１２から、および、制御情報（例えば、リソース分割および関連付けについてのメッセージ）をコントローラ／プロセッサ８４０から受信しうる。プロセッサ８２０は、データおよび制御情報を処理（例えば、符号化、および変調）し、それぞれ、データシンボルおよび制御シンボルを取得しうる。プロセッサ８２０は、さらに、同期信号、基準信号などについての基準シンボルを生成しうる。送信（ＴＸ）多入力多出力（ＭＩＭＯ）プロセッサ８３０は、適用可能な場合に、空間処理（例えば、プリコーディング）を、データシンボル、制御シンボル、および／または基準シンボルに対して実行し、Ｔ個の出力シンボルストリームをＴ個の変調器（ＭＯＤ）８３２ａ〜８３２ｔに提供しうる。各変調器８３２は、出力サンプルストリームを取得するために、それぞれの出力シンボルストリーム（例えば、ＯＦＤＭなどの場合に）を処理しうる。各変調器８３２は、この出力サンプルストリームをさらに処理（例えば、アナログへの変換、増幅、フィルタリング、およびアップコンバート）して、ダウンリンク信号を取得しうる。変調器８３２ａ〜８３２ｔからのＴ個のダウンリンク信号は、それぞれＴ個のアンテナ８３４ａ〜８３４ｔを介して送信される。
【００９６】
デバイス１２０ｙにおいて、アンテナ８５２ａ〜８５２ｒは、基地局１１０ｙからダウンリンク信号を、他の基地局からダウンリンク信号を、ＷＡＮデバイスからアップリンク信号を、および／または、他のＰ２ＰデバイスからＰ２Ｐ信号および近接検出信号を受信しうる。アンテナ８５２ａ〜８５２ｒは、それぞれ、受信された信号を復調器（ＤＥＭＯＤ）８５４ａ〜８５４ｒに提供しうる。各復調器８５４は、それぞれの受信信号を調整（例えば、フィルタリング、増幅、ダウンコンバート、およびでジタル化）し、入力サンプルを取得しうる。各復調器８５４は、受信シンボルを取得するために入力サンプルをさらに処理しうる（例えば、ＯＦＤＭ、ＳＣ−ＦＤＭＡなどの場合に）。ＭＩＭＯ検出器８５６は、Ｒ個すべての復調器８５４ａ〜８５４ｒから受信されたシンボルを取得し、適用可能な場合に受信シンボルに対してＭＩＭＯ検出を実行し、検出されたシンボルを提供しうる。受信プロセッサ８５８は、検出されたシンボルを処理（例えば、復調および復号）し、デバイス１２０ｙについての復号済みデータをデータシンク８６０に提供し、復号済み制御情報をコントローラ／プロセッサ８８０に提供する。
【００９７】
アップリンク上で、デバイス１２０ｙにおいて、送信プロセッサ８６４は、データソース８６２からデータを、コントローラ／プロセッサ８８０から制御情報（例えば、検出されたＰ２Ｐデバイスおよび／またはＷＡＮデバイスについての報告）を受信しうる。プロセッサ８６４は、このデータおよび制御情報を処理（例えば、符号化、および変調）し、それぞれ、データシンボルおよび制御シンボルを取得しうる。プロセッサ８６４は、さらに、基準信号、近接検出信号などについての基準シンボルを生成しうる。送信プロセッサ８６４からのシンボルは、適用可能な場合、ＴＸ ＭＩＭＯプロセッサ８６６によってプレコーディングされ、復調器８５４ａ〜８５４ｒによってさらに処理され（例えば、ＳＣ−ＦＤＭＡ、ＯＦＤＭなどの場合に）、基地局１１０ｙ、他の基地局、および／または、他のＰ２Ｐデバイスに送信されうる。基地局１１０ｙにおいて、デバイス１２０ｙおよび他のデバイスからのアップリンク信号は、アンテナ８３４によって受信され、復調器８３２によって処理され、適用可能な場合にＭＩＭＯ検出器８３６によって検出され、受信プロセッサ８３８によってさらに処理され、デバイス１２０ｙおよび他のデバイスから送られた復号済みのデータおよび制御情報が取得されうる。プロセッサ８３８は、復号済みデータをデータシンク８３９に、復号済み制御情報をコントローラ／プロセッサ８４０に提供しうる。
【００９８】
コントローラ／プロセッサ８４０および８８０は、それぞれ、基地局１１０ｙおよびデバイス１２０ｙでの動作を指揮する。プロセッサ８４０、および／または、基地局１１０ｙの他のプロセッサおよびモジュールは、図２のプロセス２００、図３のプロセス３００、図５のプロセス５００、および／または、本明細書に記述された技術に関する他のプロセスのすべてまたは一部を実行または指揮しうる。プロセッサ８８０、および／または、デバイス１２０ｙの他のプロセッサおよびモジュールは、図２のプロセス２００、図３のプロセス３００、図６のプロセス６００、および／または、本明細書に記述された技術に関する他のプロセスのすべてまたは一部を実行または指揮しうる。メモリ８４２および８８２は、それぞれ、基地局１１０ｙおよびデバイス１２０ｙのためにデータおよびプログラムコードを記憶しうる。通信（Ｃｏｍｍ）ユニット８４４は、基地局１１０ｙが他のネットワークエンティティと通信することを可能にする。スケジューラ８４６は、ダウンリンクおよび／またはアップリンク上でデータ送信についてのデバイスをスケジューリングしうる。
【００９９】
図８は、さらに、図１のネットワークコントローラ１３０の設計を示す。ネットワークコントローラ１３０内で、コントローラ／プロセッサ８９０は、ピア発見、Ｐ２Ｐ通信、および、ＷＡＮ通信をサポートする様々な機能を実行しうる。コントローラ／プロセッサ８９０は、さらに、図２のプロセス２００、図３のプロセス３００、図５のプロセス５００、および／または、本明細書に記述された技術に関する他のプロセスを実行しうる。メモリ８９２は、ネットワークコントローラ１３０のためにプログラムコードおよびデータを記憶しうる。記憶ユニット８９４は、Ｐ２Ｐデバイスについての情報（例えば、ネットワークアドレス）を記憶しうる。通信ユニット８９６は、ネットワークコントローラ１３０が他のネットワークエンティティと通信することを可能する。
【０１００】
１つの構成において、無線通信のための装置１１０ｘ、１１０ｙ、または１３０は、Ｐ２Ｐ通信およびＷＡＮ通信をサポートする第１のデバイスから少なくとも１つの測定値を受信する手段、ここで、少なくとも１つの測定値は、第１のデバイスによって検出された少なくとも１つの第２のデバイスについてのものである、第１のデバイスに対する関連付けおよび／またはリソース分割を、少なくとも１つの測定値に基づいて実行する手段、および、関連付けおよび／またはリソース分割の結果を第１のデバイスに送る手段を含みうる。
【０１０１】
別の構成において、無線通信のための装置１２０ｘまたは１２０ｙは、Ｐ２Ｐ通信およびＷＡＮ通信をサポートする第１のデバイスによってピア発見を実行する手段と、ピア発見を介して、第１のデバイスによって少なくとも１つの第２のデバイスを検出する手段と、第１のデバイスによって、少なくとも１つの第２のデバイスについての少なくとも１つの測定値を取得する手段と、第１のデバイスからＷＡＮに少なくとも１つの測定値を送る手段と、関連付けおよび／またはリソース分割の結果をＷＡＮから受信する手段と、ここにおいて、関連付けおよび／またはリソース分割は、少なくとも１つの測定値に基づいて第１のデバイスに対してＷＡＮによって実行される、関連付けおよび／またはリソース分割の結果に基づいて第１のデバイスによって通信する手段を含みうる。
【０１０２】
ある態様において、装置１２０ｘまたは１２０ｙについて上に述べられた手段は、デバイス１２０ｘのモジュール７１６、７１８、７２０、７２２、および／または、７２８、あるいは、デバイス１２０ｙのプロセッサ８５８、８６４、および／または８８０であり、これは、前述の手段によって記載された機能を実行するように構成されうる。装置１１０ｘまたは１１０ｙについて上に述べられた手段は、装置１１０ｘのモジュール７５６、７５８、７６０、７６２、および／または、７６８、あるいは、装置１１０ｙのプロセッサ８２０、８３８、８４０、および／または８４４であり、これは、前述の手段によって記載された機能を実行するように構成されうる。別の態様において、前述の手段は、１または複数のモジュール、または、前述された手段によって記載された機能を実行するように構成された任意の装置でありうる。
【０１０３】
当業者は、情報および信号が様々な異なる技法および技術のいずれかを用いて表されることを理解するだろう。例えば、上の記述全体を通して参照されうるデータ、命令、コマンド、情報、信号、ビット、シンボル、およびチップは、電圧、電流、電磁波、磁場または粒子、光電場または光粒子、またはこれらのあらゆる組み合わせで表されうる。
【０１０４】
当業者はさらに、本明細書の開示と関連して記述されている様々な実例となる論理ブロック、モジュール、回路、アルゴリズムステップが電子ハードウェア、コンピュータソフトウェアまたは両方の組み合わせとして実施されうることを認識するだろう。このハードウェアとソフトウェアの互換性を明確に示すために、様々な実例となるコンポーネント、ブロック、モジュール、回路、ステップが、これらの機能性という観点で概ね上述されている。ハードウェアまたはソフトウェアとしてそのような機能性が実施されるか否かは、特定のアプリケーションとシステム全体に課された設計の制約とに依存する。当業者は上述された機能性を特定アプリケーションごとに様々な形式で実施しうるが、そのような実施の決定は、本開示の範囲からの逸脱の原因になると解釈されるべきでない。
【０１０５】
本明細書の開示と関連して記述された様々な実例となる論理ブロック、モジュール、回路は、汎用のプロセッサ、デジタル信号プロセッサ（ＤＳＰ）、特定用途向け集積回路（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、あるいは、本明細書に記述された機能を実行するよう設計されたこれらの任意の組み合わせと一緒に実施または実行されうる。汎用プロセッサはマイクロプロセッサでありうるが、代替的に、プロセッサは、任意の従来のプロセッサ、コントローラ、マイクロコントローラ、またはステートマシンでありうる。プロセッサは、例えば、ＤＳＰとマクロプロセッサ、複数のマイクロプロセッサ、ＤＳＰコアに結合した１または複数のマイクロプロセッサ、または、その他の上記構成の組み合わせといった計算デバイスの組み合わせとしても実施されうる。
【０１０６】
本明細書の開示に関して記述される方法またはアルゴリズムのステップは、直接的にハードウェアに、プロセッサによって実行されるソフトウェアモジュールに、またはこれら２つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において知られているあらゆる他の形態の記憶媒体に存在しうる。例示的な記憶媒体は、プロセッサが情報を記憶媒体から読み取り、情報を記憶媒体に書き込むことができるようにプロセッサに結合される。代わりに、記憶媒体はプロセッサと一体化されうる。プロセッサおよび記憶媒体はＡＳＩＣに存在しうる。ＡＳＩＣはユーザ端末に存在しうる。代替において、プロセッサおよび記憶媒体は、個別コンポーネントとしてユーザ端末に存在しうる。
【０１０７】
１または複数の例示的な設計において、記述された複数の機能はハードウェア、ソフトウェア、ファームウェア、またはこれらの任意の組み合わせで実施されうる。ソフトウェアで実施された場合、この機能は、コンピュータ読取可能な媒体上の１または複数の命令またはコードとして記憶または送信されうる。コンピュータ読取可能な媒体は、コンピュータ記憶媒体と、ある箇所から別の箇所へのコンピュータプログラム移送を容易にする任意の媒体を含む通信媒体との両方を含む。記憶媒体は、汎用コンピュータまたは専用コンピュータによりアクセスされることができる任意の利用可能な媒体でありうる。それに制限されない例として、そのようなコンピュータ読取可能な媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令やデータ構造形で所望のプログラムコード手段を搬送または記憶するために使用されうるあらゆる他の媒体を備えうる。任意の接続も当然コンピュータ読取可能な媒体と呼ばれる。例えば、同軸ケーブル、光ファイバーケーブル、撚線対、デジタル加入者回線（ＤＳＬ）、または赤外線、ラジオ、マイクロ波などの無線技法を使用してウェブサイト、サーバ、または他のリモートソースからソフトウェアが送信されると、この同軸ケーブル、光ファイバーケーブル、撚線対、ＤＳＬ、または赤外線、ラジオ、マイクロ派などの無線技法は媒体の定義に含まれる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ読取可能な媒体の範囲に含まれるべきである。
【０１０８】
本開示の上の記述は、当業者が本開示を実施および使用することを可能にするために提供される。本開示に対する様々な変更は当業者には容易に明らかであり、本明細書で定義された包括的原理は本開示の精神または範囲を逸脱することなく他の変形に適用可能である。したがって、本開示は、本明細書に記述された例および設計に制限されることを企図せず、本明細書に開示された原理および新規な特徴と合致する最も広い範囲が与えられるべきである。
【図１】
2013539265.tif 000003
【図２】
2013539265.tif 000004
【図３】
2013539265.tif 000005
【図４】
2013539265.tif 000006
【図５】
2013539265.tif 000007
【図６】
2013539265.tif 000008
【図７Ａ】
2013539265.tif 000009
【図７Ｂ】
2013539265.tif 000010
【図８】
2013539265.tif 000011
【国際調査報告】
2013539265.tif 000012
2013539265.tif 000013
2013539265.tif 000014
2013539265.tif 000015
2013539265.tif 000016